(57)【要約】自動車や航空機といった乗物に設置される乗客娯楽システムと連携して用いるための携帯型メディアデバイス、およびこのデバイスを作製・利用するための方法。携帯型メディアデバイスは１つ以上のコンテンツソースと通信を行うように構成され、このコンテンツソースは視聴コンテンツを供給するものであるが、携帯メディアデバイスの近く、および／またはそこから離れた場所にあってもよい。好ましくは、コンテンツソースと無線通信を行うように構成されており、携帯メディアデバイスは任意の利用可能なコンテンツソースからコンテンツを選択でき、選択されたコンテンツを任意の従来方法でダウンロードして表示することができる。選択されたコンテンツは同時表示を行うために携帯型メディアデバイスに流されるか、および／または、旅行が終わって乗物を降りた後を含む任意の時間に視聴するために携帯型メディアデバイスで保存することができる。要望に応じて、携帯型メディアデバイスは、適切なアップロードコンテンツをコンテンツソースに伝送するように、同様に構成できる。
2008508749.tif 000002
【特許請求の範囲】
【請求項１】
携帯型メディアデバイスのためのデバイス管理システムは、
携帯型メディアデバイスのデバイスメモリシステムに保存された視聴コンテンツから選択された選択視聴コンテンツを表示するための携帯型メディアデバイスであって、前記携帯型メディアデバイスのためのデバイス状態情報を含むデバイス識別データを供給するためのデバイス識別システムを有する携帯型メディアデバイス、
前記携帯型メディアデバイスに対する過去の記録を維持するためのデバイス管理データベースシステムであって、前記デバイス識別データに応じて前記の過去の記録を更新し、将来の利用のために前記携帯型メディアデバイスを構成するために少なくとも１つのデバイス構成命令を供給するデバイス管理データベースシステム、および
前記携帯型メディアデバイスから受信した前記デバイス識別データを前記デバイス管理データベースシステムに供給するためのデバイス管理インターフェイスシステムであって、前記デバイス管理データベースシステムから受信した少なくとも１つのデバイス構成命令に応じて、前記デバイスメモリシステムで保存された前記視聴コンテンツを更新し、前記デバイス識別システムによって保存された前記デバイス状態情報を更新するデバイス管理インターフェイスシステム、を具備する。
【請求項２】
請求項１に記載のデバイス管理システムにおいて、前記携帯型メディアデバイスが携帯情報端末を備える。
【請求項３】
請求項１に記載のデバイス管理システムにおいて、前記デバイス管理インターフェイスシステムが携帯型デバイス管理インターフェイスシステムを備える。
【請求項４】
請求項１に記載のデバイス管理システムにおいて、前記デバイスメモリシステムに保存された前記視聴コンテンツが暗号化された視聴コンテンツを含み、前記携帯型メディアデバイスが表示のために前記の暗号化された視聴コンテンツから選択された暗号化視聴コンテンツを復号化する。
【請求項５】
請求項１に記載のデバイス管理システムにおいて、前記デバイスメモリシステムが取り外し可能メモリシステムを備える。
【請求項６】
請求項５に記載のデバイス管理システムにおいて、前記デバイスメモリシステムが、前記視聴コンテンツを確実に保存するための個人用メモリデバイスを備える。
【請求項７】
請求項１に記載のデバイス管理システムにおいて、前記デバイス識別システムが前記デバイス識別データを無線通信チャネルを介して前記デバイス管理インターフェイスシステムに供給する。
【請求項８】
請求項７に記載のデバイス管理システムにおいて、前記無線通信チャネルが、ブルートゥース、ワイヤレス・フィデリティ（ワイファイ）、超広帯域（ＵＷＢ）、ＩＥＥＥ８０２．１１で構成されるプロトコル標準のグループから選択されたプロトコルタイプを有する無線通信をサポートする。
【請求項９】
請求項７に記載のデバイス管理システムにおいて、前記デバイス識別システムが無線周波数識別（ＲＦＩＤ）タグシステムを備え、前記デバイス管理インターフェイスシステムがＲＦＩＤリーダ／コンピュータシステムを備える。
【請求項１０】
請求項９に記載のデバイス管理システムにおいて、前記デバイス識別システムがパッシブＲＦＩＤタグシステムを備える。
【請求項１１】
請求項９に記載のデバイス管理システムにおいて、前記デバイス識別システムが前記デバイス状態情報を保存するためにデバイス識別メモリシステムを有する。
【請求項１２】
請求項１に記載のデバイス管理システムにおいて、前記デバイス管理インターフェイスシステムが、前記デバイスメモリシステムで保存された前記視聴コンテンツを通信チャネルを介して更新する。
【請求項１３】
請求項１２に記載のデバイス管理システムにおいて、前記コンテンツ通信チャネルが高速通信チャネルを備える。
【請求項１４】
請求項１３に記載のデバイス管理システムにおいて、前記高速通信チャネルが、高速イーサネットおよびギガビットで構成されるプロトコル標準のグループから選択されるプロトコルタイプを有する通信をサポートする。
【請求項１５】
請求項１２に記載のデバイス管理システムにおいて、前記コンテンツ通信チャネルが１つ以上の有線通信接続を有する。
【請求項１６】
請求項１５に記載のデバイス管理システムにおいて、前記有線通信接続が、銅通信接続および光ファイバ通信接続で構成されるグループから選択される少なくとも１つの接続タイプを有する。
【請求項１７】
請求項１５に記載のデバイス管理システムにおいて、前記光ファイバ通信接続が少なくとも１つの幹線光ファイバ通信接続を有する。
【請求項１８】
請求項１２に記載のデバイス管理システムにおいて、前記コンテンツ通信チャネルが無線通信チャネルを有する。
【請求項１９】
請求項１８に記載のデバイス管理システムにおいて、前記無線通信チャネルが、ブルートゥース、ワイヤレス・フィデリティ（ワイファイ）、超広帯域（ＵＷＢ）、ＩＥＥＥ８０２．１１で構成されるプロトコル標準のグループから選択されるプロトコルタイプを有する無線通信をサポートする。
【請求項２０】
請求項１に記載のデバイス管理システムにおいて、前記携帯型メディアデバイスのバッテリシステムに充電するためのバッテリ充電システムをさらに備える。
【請求項２１】
請求項２０に記載のデバイス管理システムにおいて、前記バッテリ充電システムが前記バッテリシステムを充電する一方、前記デバイス管理インターフェイスシステムが前記視聴コンテンツおよび前記デバイス状況情報を更新する。
【請求項２２】
請求項１に記載のデバイス管理システムにおいて、前記デバイス管理システムが、前記携帯型メディアデバイスを介して開始される商業取引をサポートする。
【請求項２３】
請求項２２に記載のデバイス管理システムにおいて、前記商業取引のための支払い情報が前記携帯型メディアデバイスを介して提供される。
【請求項２４】
請求項２３に記載のデバイス管理システムにおいて、前記携帯型メディアデバイスがクレジットカードリーダシステムを有し、前記支払い情報が前記クレジットカードリーダシステムを介して提供される。
【請求項２５】
請求項２３に記載のデバイス管理システムにおいて、前記携帯型メディアデバイスがユーザインターフェイスシステムを含み、前記支払い情報が前記ユーザインターフェイスシステムを介して提供される。
【請求項２６】
請求項２３に記載のデバイス管理システムにおいて、前記携帯型メディアデバイスが、前記デバイス管理データベースシステムとの次の通信中に前記デバイス識別データを有する前記支払い情報を有する。
【請求項２７】
請求項２２に記載のデバイス管理システムにおいて、前記携帯型メディアデバイスの起動で構成される商業取引のグループから選択された前記商業取引が前記携帯型メディアデバイスの選択された機能を利用し、前記デバイスメモリシステムに保存された前記視聴コンテンツを利用する。
【請求項２８】
請求項２２に記載のデバイス管理システムにおいて、前記デバイスメモリシステムで保存された前記視聴コンテンツが、購入のために利用可能な商品についての広告情報を含み、前記商取引が前記商品の購入を含む。
【請求項２９】
請求項１に記載のデバイス管理システムにおいて、前記携帯型メディアデバイスが乗物に配置されるよう構成されている。
【請求項３０】
請求項２９に記載のデバイス管理システムにおいて、前記携帯型メディアデバイスが航空機に配置されるよう構成されている。
【請求項３１】
請求項２９に記載のデバイス管理システムにおいて、前記デバイス管理インターフェイスシステムおよび前記デバイス管理データベースシステムが空港ターミナルに配置されている。
【請求項３２】
携帯型メディアデバイスのためのデバイス管理システムは、
選択された視聴コンテンツを表示するための複数の携帯型メディアデバイスであって、前記複数のうちの各携帯型メディアデバイスが前記携帯型メディアデバイスのデバイスメモリシステムに保存された視聴コンテンツから前記の選択された視聴コンテンツを選択し、前記携帯型メディアデバイスのためのデバイス状態情報を含むデバイス識別データを提供するためのデバイス識別システムを有する携帯型メディアデバイス、
前記複数の前記携帯型メディアデバイスの各々のために過去の記録を維持するためのデバイス管理データベースシステムであって、前記デバイス識別データに応じて前記の過去の記録を更新し、将来の使用のために前記の複数の前記携帯型メディアデバイスを構成するために、少なくとも１つのデバイス構成命令を供給するデバイス管理データベースシステム、および
前記携帯型メディアデバイスの各々から受信した前記デバイス識別データを前記デバイス管理データベースシステムに供給するために設けられたデバイス管理インターフェイスシステムであって、前記デバイス管理データベースシステムから受信した少なくとも１つのデバイス構成命令に従って、前記デバイスメモリシステムの各々に保存された前記視聴コンテンツを更新し、前記デバイス識別システムの各々によって保存された前記デバイス状態情報を更新するデバイス管理インターフェイスシステム、を具備する。
【請求項３３】
携帯型メディアデバイスを管理するための方法は、
前記携帯型メディアデバイスのデバイスメモリシステムに保存された視聴コンテンツから選択された選択視聴コンテンツを表示するための携帯型メディアデバイスを準備し、前記携帯型メディアデバイスが前記携帯型メディアデバイスに対するデバイス状態情報を含むデバイス識別データを供給するためのデバイス識別システムを有し、
前記デバイス識別データに応じて前記携帯型メディアデバイスに対して維持された過去の記録を更新し、
将来の使用のために前記携帯型メディアデバイスを構成するための少なくとも１つのデバイス構成命令を供給し、そして
前記の少なくとも１つのデバイス構成命令に応じて、
前記デバイスメモリシステムに保存された前記視聴コンテンツを更新し、および
前記デバイス識別システムで保存された前記デバイス状態情報を更新する。
【請求項３４】
選択された視聴コンテンツを表示するための携帯型メディアデバイスは、
視聴コンテンツを受信するための通信インターフェイス、
コンテンツ選択命令およびコンテンツ表示命令を供給するためのユーザインターフェイス、
選択された視聴コンテンツの音響部分を音響的に表示するための音響システム、
選択された視聴コンテンツの映像部分を視覚的に表示するための映像システム、
前記コンテンツ選択命令に応じて受信された視聴コンテンツから選択された視聴コンテンツを選択し、前記コンテンツ表示命令に応じて選択された視聴コンテンツの前記音響および映像表示を制御するための制御システム、および
前記携帯型メディアデバイスに対するデバイス状態情報を含むデバイス識別データを供給するためのデバイス識別システム、を具備し、
前記携帯型メディアデバイスに対する過去の記録を維持するためのデバイス管理データベースシステムが前記デバイス識別データに応じて前記の過去の記録を更新し、将来の使用のために前記携帯型メディアデバイスを構成するためのデバイス構成命令を供給し、
デバイス管理インターフェイスシステムが前記携帯型メディアデバイスから受信した前記デバイス識別データを前記デバイス管理データベースシステムに供給し、前記デバイス管理データベースシステムによって供給された前記デバイス構成命令に応じて前記デバイス識別システムによって保存された前記デバイス状態情報を更新する。
【請求項３５】
請求項３４に記載の携帯型メディアデバイスにおいて、前記携帯型メディアデバイスが携帯情報端末を備える。
【請求項３６】
請求項３４に記載の携帯型メディアデバイスにおいて、受信した視聴コンテンツが娯楽コンテンツを有する。
【請求項３７】
請求項３６に記載の携帯型メディアデバイスにおいて、娯楽コンテンツが、衛星テレビ番組および衛星ラジオ番組で構成される娯楽コンテンツタイプのグループから選択される娯楽コンテンツを有する。
【請求項３８】
請求項３７に記載の携帯型メディアデバイスにおいて、衛星テレビ番組が生放送の衛星テレビ番組を備える。
【請求項３９】
請求項３４に記載の携帯型メディアデバイスにおいて、視聴コンテンツが前記通信インターフェイスに流される。
【請求項４０】
請求項３９に記載の乗物情報システムにおいて、前記視聴コンテンツが暗号化された視聴コンテンツを有し、前記携帯型メディアデバイスが、表示のために前記の暗号化された視聴コンテンツから選択され暗号化された視聴コンテンツを復号化する。
【請求項４１】
請求項３４に記載の携帯型メディアデバイスにおいて、前記通信インターフェイスが無線通信をサポートするために無線通信インターフェイスを備える。
【請求項４２】
請求項４１に記載の携帯型メディアデバイスにおいて、前記無線通信インターフェイスが、ブルートゥース、ワイヤレス・フィデリティ（ワイファイ）、超広帯域（ＵＷＢ）、およびＩＥＥＥ８０２．１１で構成されるプロトコル標準のグループから選択されるプロトコルタイプを有する無線通信をサポートする。
【請求項４３】
請求項３４に記載の携帯型メディアデバイスにおいて、前記ユーザインターフェイスがグラフィカルユーザインターフェイスを有する。
【請求項４４】
請求項３４に記載の携帯型メディアデバイスにおいて、前記ユーザインターフェイスがタッチスクリーンを有する。
【請求項４５】
請求項３４に記載の携帯型メディアデバイスにおいて、前記音響システムがスピーカシステムを有する。
【請求項４６】
請求項３４に記載の携帯型メディアデバイスにおいて、前記音響システムが少なくとも１つの音響ポートを有する。
【請求項４７】
請求項３４に記載の携帯型メディアデバイスにおいて、前記音響部分の音質を上げるために前記音響システムが選択された視聴コンテンツの前記音響部分を処理する。
【請求項４８】
請求項４７に記載の携帯型メディアデバイスにおいて、周囲音を模擬するために前記音響システムが前記音響部分の三次元音響処理を行う。
【請求項４９】
請求項４７に記載の携帯型メディアデバイスにおいて、周囲の雑音を消去するために前記音響システムが前記音響部分の雑音消去処理を行う。
【請求項５０】
請求項３４に記載の携帯型メディアデバイスにおいて、保存された視聴コンテンツを保存するためのデバイスメモリシステムをさらに備え、前記音響システムが保存されたコンテンツの音響部分を音響的に表示可能であり、前記映像システムが保存されたコンテンツの映像部分を視覚的に表示可能であり、前記制御システムが前記コンテンツ選択命令に応じて保存されたコンテンツを選択可能であり、前記コンテンツ表示命令に応じて保存されたコンテンツの前記音響および映像表示を制御可能である。
【請求項５１】
請求項５０に記載の携帯型メディアデバイスにおいて、前記メモリシステムが取り外し可能なメモリシステムを備える。
【請求項５２】
請求項５０に記載の携帯型メディアデバイスにおいて、前記メモリシステムが個人メモリデバイスを備える。
【請求項５３】
請求項５０に記載の携帯型メディアデバイスにおいて、前記デバイス管理インターフェイスシステムが、前記デバイス管理データベースシステムから受信した少なくとも１つのデバイス構成命令に応じて前記デバイスメモリシステムで保存された前記の保存された視聴コンテンツを更新する。
【請求項５４】
請求項３４に記載の携帯型メディアデバイスにおいて、映像コンテンツを供給するためのカメラシステムをさらに備え、前記映像システムが前記映像コンテンツを視覚的に表示可能であり、前記制御システムが前記コンテンツ選択命令に応じて前記映像コンテンツを選択可能であり、前記コンテンツ表示命令に応じて前記映像コンテンツの前記映像表示を制御可能である。
【請求項５５】
請求項５４に記載の携帯型メディアデバイスにおいて、前記カメラシステムが動画カメラシステムを備える。
【請求項５６】
乗物に設置するための乗物情報システムは、
コンテンツソースによって供給される視聴コンテンツを配信するための、前記視聴コンテンツへのアクセスを行うために少なくとも１つのアクセスポイントを有するコンテンツ配信システム、および
コンテンツソースによって供給された前記視聴コンテンツから選択された選択視聴コンテンツを表示するための少なくとも１つの携帯型メディアデバイスであって、前記の少なくとも１つの携帯型メディアデバイスの各々が前記の少なくとも１つのアクセスポイントを介して前記視聴コンテンツを受信し、前記の少なくとも１つの携帯型メディアデバイスのためのデバイス状態情報を含むデバイス識別データを供給するためにバイス識別システムを有する携帯型メディアデバイス、を具備し、
乗物に前記の少なくとも１つの携帯型メディアデバイスを配置する前に、
前記の少なくとも１つの携帯型メディアデバイスの各々に対する過去の記録を維持するためのデバイス管理データベースシステムが、記デバイス識別データに応じて前記の過去の記録を更新し、乗物上での利用のために少なくとも１つの携帯型メディアデバイスの各々を構成するためのデバイス構成命令を供給し、
デバイス管理インターフェイスシステムが、前記の少なくとも１つの携帯型メディアデバイスの各々から受信した前記デバイス識別データを前記デバイス管理データベースシステムに供給し、前記デバイス構成命令に応じて前記の少なくとも１つの携帯型メディアデバイスの各々の前記デバイス識別システムによって保存された前記デバイス状態情報を更新する。
【請求項５７】
請求項５６に記載の乗物情報システムにおいて、前記乗物情報システムが航空機に設置されるよう構成される。
【請求項５８】
請求項５７に記載の乗物情報システムにおいて、前記乗物情報システムが航空機乗客機内娯楽システムを備える。
【請求項５９】
携帯型メディアデバイスを乗物に搭載するためのデバイス配置システムは、
選択された視聴コンテンツを表示するための複数の携帯型メディアデバイスであって、前記複数のうちの各携帯型メディアデバイスが前記携帯型メディアデバイスのデバイスメモリシステムに保存された視聴コンテンツから前記の選択された視聴コンテンツを選択し、前記携帯型メディアデバイスに対するデバイス状態情報を含むデバイス識別データを提供するためのデバイス識別システムを有する携帯型メディアデバイス、および
前記の複数の前記携帯型メディアデバイスを収納するためのコンテナシステム、を具備し、
前記複数の前記携帯型メディアデバイスが乗物への輸送準備時に前記コンテナシステムに配置され、
前記複数の前記携帯型メディアを前記コンテナシステム内に配置する前に、
前記携帯型メディアデバイスの各々に対する過去の記録を維持するためのデバイス管理データベースシステムが前記デバイス識別データに応じて前記の過去の記録を更新し、乗物上での利用のために前記携帯型メディアデバイスの各々を構成するためのデバイス構成命令を供給し、
デバイス管理インターフェイスシステムが、前記携帯型メディアデバイスの各々から受信した前記デバイス識別データを前記デバイス管理データベースシステムに供給し、前記デバイス構成命令に応じて前記携帯型メディアデバイスの各々の前記デバイス識別システムによって保存された前記デバイス状態情報を更新する。
【請求項６０】
携帯型メディアデバイスのデバイスメモリシステムに保存された視聴コンテンツから選択された選択視聴コンテンツを表示するための携帯型メディアデバイスをサポートし、デバイス状態情報を含むデバイス識別データを供給するためのデバイス識別システムを有する取付システムであって、前記取付システムが、
本体部材、
前記本体部材を乗物の乗客用座席に設けられた取付面に結合するための座席インターフェイスシステム、および
前記本体部材を携帯型メディアデバイスのハウジングに設けられた取付面と取り外し可能に嵌合するためのデバイスインターフェイスシステム、を具備し、
携帯型メディアデバイスの取付面と乗客用座席に設けられた取付面との間に所定の視角が形成され、
携帯型メディアデバイスに対する過去の記録を維持するためのデバイス管理データベースシステムが前記デバイス識別データに応じて前記の過去の記録を更新し、将来の利用のために携帯型メディアデバイスを構成するためのデバイス構成命令を供給し、
携帯型メディアデバイスから受信したデバイス識別データをデバイス管理データベースシステムに供給するためのデバイス管理インターフェイスシステムが前記デバイスメモリシステムで保存された視聴コンテンツを更新し、デバイス管理データベースシステムから受信したデバイス構成命令に応じて各々のデバイス識別システムによって保存されたデバイス状態情報を更新する。
【請求項６１】
請求項６０に記載の取付システムにおいて、取付システムが前記所定視角を選択的に調節されるように構成される。
【請求項６２】
請求項６１に記載の取付システムにおいて、前記所定視角を調節するための膨張可能部材をさらに具備し、前記膨張可能部材が携帯型メディアデバイスと乗客用座席との間に配置される。
【請求項６３】
請求項６０に記載の取付システムにおいて、前記座席インターフェイスシステムが乗客用座席の取付面と固定結合するよう構成される。
【請求項６４】
請求項６０に記載の取付システムにおいて、前記座席インターフェイスシステムが乗客用座席の取付面と取り外し可能に結合するよう構成される。
【請求項６５】
請求項６０に記載の取付システムにおいて、前記座席インターフェイスシステムが乗客用座席のヘッドレストと結合するよう構成される。
【請求項６６】
請求項６５に記載の取付システムにおいて、前記本体部材がフォームパッドを備え、前記座席インターフェイスシステムが、ヘッドレストの少なくとも一部分を受け入れるための前記フォームパッド内に形成された第１のチャネルを備え、前記デバイスインターフェイスシステムが、携帯型メディアデバイスの少なくとも一部分を受け入れるための前記フォームパッド内に形成された事前形成チャネルを備える。
【請求項６７】
請求項６５に記載の取付システムにおいて、前記本体部材がフォームウェッジを備え、前記座席インターフェイスシステムが前記フォームウェッジの第１の面を備え、前記デバイスインターフェイスシステムが前記フォームウェッジの第２の面を備え、前記第１および第２の面が前記所定視角を形成する。
【請求項６８】
請求項６０に記載の取付システムにおいて、前記座席インターフェイスシステムが乗客用座席のシートバックと結合するように構成される。
【請求項６９】
請求項６８に記載の取付システムにおいて、前記デバイスインターフェイスシステムが、携帯型メディアデバイスの取付面に配置された第１の磁気構造の極性と反対の極性を有する第１の磁気構造を備える。
【請求項７０】
請求項６９に記載の取付システムにおいて、前記本体部材が前記所定視角を維持するための第２の磁気構造を含み、前記第２の磁気構造が、携帯型メディアデバイスのハウジングに配置される第２の磁気構造の極性と同じ極性を有する。
【発明の詳細な説明】
【技術分野】
【０００１】
本発明は全体として携帯型娯楽システムに関し、さらに詳細には、ただし限定するものではないが、乗物内で使用するための乗客娯楽システムに関する。
【背景技術】
【０００２】
自動車および航空機といった乗物は、移動中の娯楽に対する乗客の要望を満たすために娯楽システムを提供することが多い。
従来の乗客娯楽システムは、オーバーヘッド客室視聴システム、および／または視聴コンテンツを選択するための個別制御器を有するシートバック視聴システムを含んでいる。視聴コンテンツは、典型的には、音声および／または映像資料といった娯楽コンテンツを含み、種々のコンテンツソースから取り出すことができる。例えば、映画およびや音楽といった、あらかじめ記録された視聴コンテンツを、乗物内に設置した内部コンテンツソース、例えば音声映像システムにより供給できる。外部のコンテンツソースについても同様に、衛星テレビ番組あるいは衛星ラジオ番組を含む視聴コンテンツを無線通信システムを介して乗物に伝送することができる。
【発明の開示】
【発明が解決しようとする課題】
【０００３】
しかしながら、従来の乗客娯楽システムには多数の不利な点がある。そのため、乗客の一部は、乗客娯楽システムの操作が複雑で視聴コンテンツを楽しむのが困難であると感じている。ユーザ側制御器の配置や操作が好ましくないため、例えば視聴コンテンツの選択が困難である。同様に、視聴システムは、頭上（オーバーヘッド）および／または反対側のシートバックといった遠くに配置されており、典型的にはユーザ側制御器に隣接していない。また、１つ以上の視聴システムが故障すると、乗客の一部もしくは全員が視聴コンテンツを楽しむことができなくなる。このようなシステムの欠点は乗客からの不平が頻繁に起こる原因となっている。
【０００４】
さらに、娯楽に対する乗客の要望も絶えず変わっている。乗客は、生放送のテレビ番組や最新のゲームといった最近の視聴コンテンツにアクセスしたいと望むだけでなく、例えばインターネットアクセスおよび乗り換え時のショッピングのような幅広い選択肢を有する娯楽製品やサービスが利用可能であるよう要求する。しかしながら、従来の乗客娯楽システムは、固定されたハードウェア技術により制限されており、移動中に変化する乗客の娯楽ニーズに合わせるようには簡単に対応できるものではない。
前記の点を考慮すると、現在利用可能な乗客娯楽システムの前述のような支障や不備を克服する改良された乗客娯楽システムに対するニーズが存在している。
【課題を解決するための手段】
【０００５】
ここで開示された種々の実施形態は、移動中に視聴コンテンツを表示するための携帯型メディアデバイスに対するものである。
【０００６】
携帯型メディアデバイスは、視聴コンテンツを供給するため、１つ以上のコンテンツソースと通信するように構成される。コンテンツソースのおのおのは、携帯型メディアデバイスの近くに、および／またはそこから離れたところに配置される。好ましくは、コンテンツソースと無線通信を行うように構成されており、携帯型メディアデバイスは、任意の利用可能なコンテンツソースから視聴コンテンツを選択でき、選択された視聴コンテンツを任意の従来方法でダウンロードして表示することができる。選択された視聴コンテンツは、同時表示を行うために携帯型メディアデバイスに流されるか、および／または、任意の時間に視聴するために携帯型メディアデバイスで保存できる。所望の場合、携帯型メディアデバイスは１つ以上のコンテンツソースとの双方向通信をサポートするように構成できる。携帯型メディアデバイスは、これによって、移動中に視聴コンテンツアップロードおよび他の乗客業務に対してサポートを行うといった強化された機能を実施することができる。
【０００７】
本発明の他の態様および特性は、添付図面に関連して行った以下の説明を考慮すれば明らかとなるであろう。
【発明を実施するための最良の形態】
【０００８】
現在利用可能な乗客娯楽システムは操作が難しく、コンテンツ表示能力に限界があるので、移動中に１つ以上の利用可能なコンテンツソースから選択した視聴コンテンツを表示するための直観的ユーザインターフェイスを備えた携帯型メディアデバイスが、望まれていることは明らかであり、航空機や他のタイプの乗物で利用するための乗客娯楽システムといった広範囲にわたる利用の基本となるものである。この結果については、図１で示されるような携帯型メディアデバイス１００を用いることにより、ここに開示された一実施形態にしたがって達成されるものである。
【０００９】
図１に転じると、携帯型メディアデバイス１００は、視聴コンテンツ２００を受信し、受信した視聴コンテンツ２００を表示するための携帯型手持ち式メディア表示システムとして提供される。携帯型手持ち式メディア表示システムとして携帯型メディアデバイス１００を提供することにより、携帯型メディアデバイス１００の重量、複雑さ、および消費電力をそれぞれ低減することができるとともに、全体的なデバイスの信頼性を高めることができる。携帯型メディアデバイス１００は、いかなる従来の方式、例えば１つ以上のハードウェア構成要素および／またはソフトウェア構成要素を介するといった方式においても提供され得るものであり、直感的ユーザインターフェイス１１０を含むものである。図１に示されているように、代表的な携帯型メディアデバイス１００は、視聴コンテンツ２００（または映像コンテンツ２２０）の映像部分を視覚的に表示するための映像システム１２０、および／または視聴コンテンツ２００（または音響コンテンツ２３０）の音響部分を音響的に表示するための音響システム１３０を備える。映像システム１２０および音響システム１３０は、制御システム１４０の制御下で作動可能なものとして示される。携帯型メディアデバイス１００はこれによって、視聴コンテンツ２００が受信されるか、および／または表示される方式を制御できる。
【００１０】
視聴コンテンツ２００は、図２Ａ−Ｂに示されているように、１つ以上のコンテンツソース３００によって供給される。コンテンツソース３００は、いかなる従来の方式、例えば１つ以上のハードウェア構成要素、および／またはソフトウェア構成要素を介するといった方式においても提供され得るものであり、携帯型メディアデバイス１００の近くに、および／またはそこから離れて配置され得る。例えば、コンテンツソース３００は、２００４年２月４日に出願された第１０／７７２，５６５号「ファイルをダウンロードするためのシステムおよび方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」および２００５年５月６日に出願された第１１／１２３，３２７号「移動式プラットフォームのコンテンツを管理するためのシステムおよび方法（ＳＹＳＴＥＭ  ＡＮＤ  ＭＥＴＨＯＤ  ＦＯＲ  ＭＡＮＡＧＩＮＧ  ＣＯＮＴＥＮＴＳ  ＯＮ  ＭＯＢＩＬＥ  ＰＬＡＴＦＯＲＭ）」の相互係属している米国特許出願で述べられている方式で提供できるが、これらは本出願の譲受人に譲渡されており、それらの各開示についてはここにそっくりそのまま全て引用により組み込まれる。携帯型メディアデバイス１００およびコンテンツソース３００は、有線および／または無線通信を介することを含むいかなる従来の方式においても同様に通信可能である。これによって、コンテンツソース３００と通信を行うとき、携帯型メディアデバイス１００はコンテンツソース３００から視聴コンテンツ２００を受信して表示できる。
【００１１】
視聴コンテンツ２００は、２００４年２月４日に出願された相互係属している前述の米国特許出願第１０／７７２，５６５号「ファイルをダウンロードするためのシステムおよび方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」の中で述べている方式における、視聴コンテンツ２００のいかなる適切なタイプも含むことができる。好ましくは、伝送を容易にするための任意の従来型の圧縮デジタルフォーマットでも提供され、視聴コンテンツ２００は、要望に応じて、圧縮および／または非圧縮の任意の適切なアナログフォーマットおよび／またはデジタルフォーマットで提供してもよい。滑らかな表示を確実に行うことを助けるため、コンテンツソース３００から携帯型メディアデバイス１００に伝送されるとき、視聴コンテンツ２００はバッファされることが好ましい。このバッファは、例えば、携帯型メディアデバイス１００および／またはコンテンツソース３００を介することを含む任意の従来の方式で行うことができる。（図７に示される）コンテンツ配信システム４００によって通信するように構成されるとき、このバッファは、要望に応じて、コンテンツ配信システム４００と同様に関連付けることができる。
【００１２】
例えば、視聴コンテンツ２００には、音楽あるいは音響ブックといった音響コンテンツ、および／または映画、テレビ番組といった映像コンテンツ、あるいは他のいかなるタイプの視聴覚作品を含む娯楽コンテンツを含めることができる。要望に応じて、視聴コンテンツ２００には、ライブ・イベントあるいは収録されたイベントの放送といった、保存された（すなわち、時間遅れの）視聴コンテンツ２００および／または生の（すなわち、リアルタイムの）視聴コンテンツ２００を含めることができる。コンテンツソース３００は好ましくは、実質的にリアルタイムで視聴コンテンツ２００を供給する。映像コンテンツに対する表示フォーマットとして、音響映像インタリーブ（ＡＶＩ）フォーマット、ジョイント・フォトグラフィック・エキスパート・グループ（ＪＰＥＧ）フォーマット、ムービング・ピクチャー・エキスパート・グループ（ＭＰＥＧ）フォーマットが含まれるが、その一方で、波形（ＷＡＶ）フォーマットおよびＭＰＥＧ音響レイヤ３（ＭＰ３）フォーマットは音響コンテンツに対する代表的なフォーマットを含む。
【００１３】
ストリーミング映像コンテンツは、伝送効率を確保する助けとなるためにＭＰＥＧ−４ＦＧＳ（ファイン・グラニュラリティ・スケーラブル）フォーマットで供給されることが好ましいが、映像コンテンツは任意の適切な標準フォーマットでコンテンツソース３００によって流すことができる。ＭＰＥＧ−４ＦＧＳフォーマットでストリーミング・ビデオコンテンツを受信するよう構成される場合、携帯型メディアデバイス１００は、ＭＰＥＧ−１フォーマットおよびＭＰＥＧ−２フォーマットを含め、ムービング・ピクチャー・エキスパート・グループ（ＭＰＥＧ）フォーマットといった１つ以上の他の映像フォーマットとの共存性を都合よく維持できる。音響コンテンツも同様にコンテンツソース３００によって流すことができる。流される音響コンテンツは音楽のように別個に、および／または映画用サウンドトラックのように他の視聴コンテンツ２００と関連させて供給できる。好ましくは、ＭＰＥＧ−４ＢＳＡＣ（ビット・スライス算術符号化）フォーマットおよび／または改良型音響符号化（ＡＡＣ）フォーマットで提供されると、流される音響コンテンツは任意の適切な標準フォーマットでコンテンツソース３００によって流すことができる。
【００１４】
要望に応じて、メディア・プレーヤ・プログラムといったアプリケーション・プログラム、および／または、フォーマット、参考資料といったテキスト資料、あるいは他の文書を含む他のタイプの視聴コンテンツ２００は、コンテンツソース３００によって提供できる。アプリケーションソフトウェアは典型的には、実行可能（ＥＸＥ）フォーマットで提供され、テキスト視聴コンテンツ２００に対する代表的フォーマットには文書ファイル（ＤＯＣ）フォーマット、ポータブル・ドキュメント・ファイル（ＰＤＦ）およびテキストファイル（ＴＸＴ）フォーマットがある。選択されたフォーマットについては、例示目的のために、音響視聴コンテンツ２００および映像視聴コンテンツ２００を参照しつつ上記で論じてきたが、選択したフォーマットは単に代表的なものというだけであり、排他的なものではない。これによって、視聴コンテンツ２００は任意の適切な従来のフォーマットで提供され得ることが理解される。
【００１５】
視聴コンテンツ２００は任意の従来方式、好ましくは実質的にリアルタイムで携帯型メディアデバイス１００によって表示できる。例えば、携帯型メディアデバイス１００は、２００４年２月４日に出願された前述の相互係属の米国特許出願第１０／７７２，５６５号「ファイルをダウンロードするためのシステムおよび方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」で開示された方式で視聴コンテンツ２００をダウンロードできる。要望に応じて、携帯型メディアデバイス１００も同様に、ダウンロードされた視聴コンテンツを保存することができる。携帯型メディアデバイス１００は、これによって、コンテンツソース３００との通信が維持されているかどうかに関わらず、任意の時間に視聴コンテンツ２００を表示できる。
【００１６】
視聴コンテンツ２００も同様に、コンテンツソース３００から携帯型メディアデバイス１００に流すことができる。多少異なる言い方をすると、視聴コンテンツ２００は携帯型メディアデバイス１００によって一時的に保存（すなわち、キャッシュ）することができる。視聴コンテンツ２００も同様に、任意の従来の方式で流すことができる。視聴コンテンツ２００を流すためのコンテンツソース３００としては地上コンテンツソース３００および／または衛星コンテンツソース３００が可能である。例えば、生放送のテレビ番組は、（図示されていない）放送テレビシステムといった１つ以上の地上コンテンツソース３００、および／または（図示されていない）直接放送衛星（ＤＢＳ）システムといった１つ以上の衛星コンテンツソース３００によって流すことができる。携帯型メディアデバイス１００が、図８Ａ−Ｂを参照しつつ以下に論じる（図８Ａ−Ｂで示される）乗物５００内に配置される場合、視聴コンテンツ２００は、乗物５００に設置された（図８Ａ−Ｂで示される）携帯型サーバシステム５２０といったコンテンツソース３００から携帯型メディアデバイス１００に流すことができる。
【００１７】
視聴コンテンツ２００を携帯型メディアデバイス１００に流すことで、携帯型メディアデバイス１００の消失、例えば盗難が起こったとしても、視聴コンテンツ２００がなくなることにはならない。さらに視聴コンテンツ２００の安全をさらなる確保の助けとするため、視聴コンテンツ２００が暗号化フォーマットで携帯型メディアデバイス１００に流されるか、および／または１つ以上の他のデジタル権利管理（ＤＲＭ）制御で提供できるようにすることが好ましい。それによって、視聴コンテンツ２００は、不正使用、コピー、および／または流布に対して保護でき、および／または傍受またはその他の方法で盗まれた場合でも、暗号化された視聴コンテンツ２００はすぐに利用できない。視聴コンテンツ２００は、専有の暗号化技術の使用を含む任意の従来方式で暗号化できる。コンテンツソース３００から視聴コンテンツ２００を流すことによって、携帯型メディアデバイス１００が備える構成要素の量および複雑さを減らすことができる。これによって、上記で論じたとおり、携帯型メディアデバイス１００は携帯型手持ち式メディア表示システムとして提供できる。携帯型メディアデバイス１００の重量、複雑さ、および消費電力も同様に低減することができる、その一方、携帯型メディアデバイス１００の全体的なデバイスの信頼性を向上させることができる。
【００１８】
したがって、保存された（すなわち、時間遅れの）視聴コンテンツ２００は中心位置から供給される、あるいは中心位置で保存できる点が有利である。これにより、視聴コンテンツ２００を更新することを含む視聴コンテンツ２００の管理が容易になり、携帯型メディアデバイス１００は、コンテンツソース３００の大規模なリソースから選択した視聴コンテンツ２００を表示できるようになる。さらに、視聴コンテンツ２００が、例えば生放送の衛星テレビ番組、生放送の衛星ラジオ番組、および／またはリアルタイムのインターネットアクセスを含むリアルタイムの視聴コンテンツ２００を含む場合、携帯型メディアデバイス１００は実質的にリアルタイムで生の視聴コンテンツ２００を表示できる。したがって、携帯型メディアデバイス１００は、コンテンツソース３００の大規模なリソースと比較して制限を受ける可能性のあるリソース内に保存できる視聴コンテンツ２００を表示することに限定されるものではない。その結果、携帯型メディアデバイス１００は、要求に応じて選択され表示できる広範囲な視聴コンテンツの選択肢を提供するように構成できる。
【００１９】
図２Ａ−Ｂで示されるとおり、携帯型メディアデバイス１００が、コンテンツソース３００によって供給される視聴コンテンツ２００を選択でき、選択された視聴コンテンツを、図１を参照しつつ上記で論じた方式で表示できることが好ましい。コンテンツソース３００が、利用可能な視聴コンテンツ２００のカタログを提供するように構成される場合、携帯型メディアデバイス１００は、要望に応じて、任意の従来方式でカタログから関連視聴コンテンツ２００（すなわち、選択視聴コンテンツ２００’’）を選択できる。例えば、コンテンツソース３００は、図２Ａで示されるように、カタログから複数の視聴コンテンツ２００（すなわち集合視聴コンテンツ２００’）を同時に伝送できる。視聴コンテンツ２００は所定の通信チャネル上で伝送でき、および／または固有識別子（すなわち、アドレス）を含む（あるいは、これを用いて暗号化する）ことができる。
【００２０】
図２Ａの携帯型メディアデバイス１００は制御システム１４０から集合視聴コンテンツ２００’およびコンテンツ選択信号２５０を受信するためのコンテンツ選択システム１５０を含む。コンテンツ選択信号２５０に基づき、コンテンツ選択システム１５０はこれによって、例えば、所定通信チャネル、および／または選択された視聴コンテンツ２００’’と関連付けられる固有の識別子を選択することによって、集合視聴コンテンツ２００’から選択された視聴コンテンツ２００’’を識別できる。選択された視聴コンテンツ２０を選択し、必要に応じて、支払いおよび／利用権情報を供給すると、上記で論じたような表示を行うため、コンテンツ選択システム１５０は映像システム１２０に選択された映像コンテンツ２２０を、および／または音響システム１３０に選択された音響コンテンツ２３０を供給できる。例示目的のため、制御システム１４０とは別個のものとして示されて記述されているが、要望に応じて、コンテンツ選択システム１５０は少なくとも部分的に制御システム１４０と統合できる。
【００２１】
その他の場合、あるいは追加として、図２Ｂに示されているように、コンテンツソース３００は選択された視聴コンテンツ２００’’を携帯型メディアデバイス１００に伝送できる。図２Ｂの携帯型メディアデバイス１００は、視聴コンテンツ２００および／またはコンテンツ選択信号２５０といった通信信号を含むアップロードコンテンツ２６０をコンテンツソース３００に伝送するように構成するものとして示される。言い換えると、携帯型メディアデバイス１００およびコンテンツソース３００は双方向通信で結合できる。コンテンツ選択信号２５０を受信すると、コンテンツソース３００は、コンテンツ選択信号２５０と関連付けられる選択視聴コンテンツ２００’’を識別し、選択された視聴コンテンツ２００’’を携帯型メディアデバイス１００に伝送できる。図２Ａを参照しつつ上記で論じた方式において、コンテンツソース３００は、好ましくは、所定通信チャネル上で選択された視聴コンテンツ２００’’を伝送し、携帯型メディアデバイス１００と関連付けられる固有の識別子（すなわち、アドレス）を含める（すなわち、これを用いて符号化する）ことができる。携帯型メディアデバイス１００は選択された視聴コンテンツ２００’’を受け取り、上記で論じたとおり、選択された視聴コンテンツ２２０を映像システム１２０に、および／または選択された音響コンテンツ２３０を音響システム１３０に供給して表示できる。
【００２２】
図３Ａは携帯型メディアデバイス１００の一実施形態を示す代表的なブロック図である。図３Ａに示されているように、携帯型メディアデバイス１００は、（図２Ａ−Ｂで示される）携帯型メディアデバイス１００とコンテンツソース３００との間の通信を容易にするための通信インターフェイス１６０と、（図示されていない）ユーザ（すなわち、乗客）が携帯型メディアデバイス１００との間で、したがってコンテンツソース３００との間ですぐに対話できるようにするための直観的ユーザインターフェイスシステム１１０とを含む。携帯型メディアデバイス１００およびコンテンツソース３００は任意の従来方式で通信するように構成できる。好ましくは、通信インターフェイス１６０は、携帯型メディアデバイス１００とコンテンツソース３００との間の高速データ通信をサポートするように構成される。
【００２３】
例示される高速データ通信プロトコルとして、少なくとも毎秒約１００メガビット（１００Ｍｂｐｓ）の典型的なデータ転送速度をもつ任意のタイプの（１００Ｂａｓｅ−Ｘおよび／または１００Ｂａｓｅ−Ｔといった）高速イーサネットプロトコルおよび／または（１０００Ｂａｓｅ−Ｘおよび／または１０００Ｂａｓｅ−Ｔといった）ギガビットイーサネット通信プロトコルを含めることができる。有線環境では、携帯型メディアデバイス１００とコンテンツソース３００との間の高速データ通信を１つ以上の従来の銅線通信接続および／または光ファイバ通信接続を介して行うことができる。光ファイバ通信接続は、要望に応じて、トランク（基幹）に入れることもできる。無線通信環境で高速データ転送を行うために、空間伝播光学（またはレーザ）技術、ミリ波（またはマイクロ波）技術、および／または超広帯域（ＵＷＢ）技術を用いて、携帯型メディアデバイス１００とコンテンツソース３００との間の高速データ通信を行うことができる。携帯型メディアデバイス１００およびコンテンツソース３００も同じく、（図７で示された）コンテンツ配信システム４００といった１つ以上の中間システムを介して直接的および／または間接的に通信を行うことができる。コンテンツ配信システム４００の例示的な実施形態について、図７を参照しつつ以下でさらに詳細に論じる。
【００２４】
通信インターフェイス１６０は携帯型メディアデバイス１００とコンテンツソース３００との間に実質的に配置され、有線通信および／または無線通信を含む任意の従来のタイプの通信をサポートするように構成される。例えば、通信インターフェイス１６０は、コンピュータネットワークを経由した有線通信のためのイーサネットアダプタおよび／または通信ネットワークを経由した有線通信のためのモデムを備えることができる。図３Ａに示されているように、通信インターフェイス１６０は、コンテンツソース３００との通信のための通信ポート１６２と、視聴コンテンツ２００を受信するための互換性トランシーバシステム１６４とを含めるように例示される。要望に応じて、通信インターフェイス１６０は実質的に携帯型メディアデバイス１００の中に、あるいはそこから離れて配置できる。
【００２５】
通信ポート１６２は、従来の通信ポートを備え、有線通信をサポートするための有線通信ポート、および／または１つ以上の通信周波数での無線通信をサポートするための無線通信ポートを含むことができる。従来の有線通信ポートは、レジスタード・ジャック４５（ＲＪ−４５）コネクタシステムといったイーサネットコネクタシステムのような（図示されていない）コネクタシステム、および／またはレジスタード・ジャック１１（ＲＪ−１１）コネクタシステムおよびレジスタード・ジャック１２（ＲＪ−１２）コネクタシステムといった通信コネクタシステムを含む。無線通信ポートは所定範囲の通信周波数内で視聴コンテンツ２００を受信するための（図示されていない）アンテナシステムを備えることができる。代表的な無線通信ポートは無線周波数（ＲＦ）通信ポートおよび／または赤外線（ＩＲ）通信ポートを含めることができる。
【００２６】
トランシーバ１６４は、通信ポート１６２と結合され、これと通信するように構成される。コンテンツソース３００から視聴コンテンツ２００を受信すると、通信ポート１６２は、受信された視聴コンテンツ２００をトランシーバシステム１６４に供給できる。トランシーバシステム１６４は任意の従来の方式で視聴コンテンツ２００を処理するように構成できる。例示される従来のプロセスには、視聴コンテンツ２００を復号し、復調し、および／またはアナログ−デジタル変換することを含めることができる。視聴コンテンツ２００を処理すると、トランシーバシステム１６４は、処理された視聴コンテンツ２００を制御システム１４０に供給できる。
【００２７】
携帯型メディアデバイス１００は、ラップトップコンピュータ、パームトップコンピュータ、携帯情報端末（ＰＤＡ）、携帯電話、および／またはＭＰＥＧ音響レイヤ３（ＭＰ３）デバイスの形態で提供されることが好ましいため、制御システム１４０は、視聴コンテンツ２００を処理するために少なくとも１つの処理システム１２０を含むことが典型的である。多少異なる言い方をすると、携帯型メディアデバイス１００は、前述のデバイスのおのおのに備わる機能を個別に、および／または組合せて含むことができる。処理システム１２０は図３Ａにおいて、通信インターフェイス１６０、映像システム１２０、および／または音響システム１３０間の通信を結合して容易にするものとして例示される。処理システム１２０は、１つ以上のマイクロプロセッサ（Ｐ）、中央演算処理装置（ＣＰＵ）、デジタル信号処理装置（ＤＳＰ）、および／または符号／復号器（ＣＯＤＥＣ）といった任意の適切な数およびタイプの従来の処理システムを備えることができ、コンテンツ選択信号２５０および／または表示制御信号２７０といったユーザ命令（すなわち、コマンド）に応じて視聴コンテンツ２００を処理できる。
【００２８】
図２Ａ−Ｂを参照しつつ、さらに詳細に論じると、もし視聴コンテンツ２００が暗号化フォーマットで携帯型メディアデバイス１００に供給されるならば、処理システム１４２は暗号化された視聴コンテンツ２００を復号して視聴コンテンツ２００を復旧させることができる。処理システム１４２も同様に、視聴コンテンツ２００（あるいは映像コンテンツ２２０）の映像部分および／または視聴コンテンツ２００（あるいは音響コンテンツ２３０）の音響部分を供給するのに適した方式で視聴コンテンツ２００を処理するように構成できる。これによって、処理システム１２０は、選択された映像コンテンツ２２０を表示のために映像１２０に供給でき、および／または選択された音響コンテンツ２３０を音響表示のために音響システム１３０に供給できる。
【００２９】
上記で論じた方式で、映像システム１２０は選択された映像コンテンツ２２０を視覚的に表示するように構成できる。映像システム１２０は任意の従来の方式で提供でき、図３Ａに示されているように、表示システム１２２、および／または映像システム１２０を１つ以上の（図示されていない）周囲映像表示システムと結合するための映像ポート１２４を含む。例示された周囲映像表示システムは、さらに大きな視聴可能面積および／またはより高い解像度といった視聴特性の向上した外部映像表示システムを含むことができる。要望に応じて、映像ポート１２４も同様に、静止画および／または動画カメラシステムといった周囲映像入力装置と通信するように構成できる。映像システム１２０は、好ましくは、携帯型メディアデバイス１００を介して利用可能な任意の視聴コンテンツ２００、コンテンツソース３００にアクセスするためのユーザ命令、および／またはコンテンツソース３００を介して利用可能な視聴コンテンツ２００のカタログを含む任意の従来のタイプの視聴コンテンツ２００を表示するのに適している。例えば、表示システム１２２は、好ましくは、視聴コンテンツ２００を視覚的に表示するための十分な解像度を有する適切な大きさの視聴可能面積を有する。
【００３０】
映画および／またはテレビ番組といった視聴コンテンツ２００を表示するために例示された映像解像度としては、いずれのカラー・グラフィック・アダプタ（ＣＧＡ）解像度、高性能化グラフィック・アダプタ（ＥＧＡ）解像度、映像グラフィック・アレイ（ＶＧＡ）解像度、エクステンディッド・グラフィック・アレイ（ＸＧＡ）解像度、スーパ・エクステンディッド・グラフィック・アレイ（ＳＸＧＡ）解像度、ウルトラ・エクステンディッド・グラフィック・アレイ（ＵＸＧＡ）解像度、および／またはワイド・グラフィック・アレイ（ＷＸＧＡ）解像度が含まれる。映像システム１２０は、携帯型メディアデバイス１００によって以前に受信された（図３Ｂで示された）保存コンテンツ２４０といったコンテンツソース３００および／または視聴コンテンツ２００を介して利用可能な視聴コンテンツ２００を含んでおり、携帯型メディアデバイス１００および／または利用可能な視聴コンテンツ２００の対話メニューとの対話を容易にするためのグラフィカルユーザインターフェイス（ＧＵＩ）を同様に提供できる。ユーザインターフェイス１１０は、これによって、視聴コンテンツ２００を表示のためにユーザが選択することを助けるために選択された視聴コンテンツ２００の伝送を制御するため、および／または選択された視聴コンテンツ２００が携帯型メディアデバイス１００によって表示される方式を制御するために直感的ユーザインターフェイスを提供できる。
【００３１】
音響システム１３０も同様に任意の従来方式で提供でき、選択された映像コンテンツ２２０を音響的に提示するように構成される。図３Ａで例示されるように、音響システム１３０を（図示されていない）１つ以上の周辺音響表示装置に結合するために、１つ以上のスピーカシステム１３２および／または音響ポート１３４を含む。代表的な周辺音響表示装置にはヘッドホン、スピーカ、および／または増幅器が含まれる。要望に応じて、音響ポート１３４も同様に、マイクロホンおよび／またはコンパクトディスクプレーヤといった周辺音響入力装置と通信するように構成できる。音響システム１３０は、好ましくは、携帯型メディアデバイス１００を介して利用可能な任意の視聴コンテンツ２００を含む任意の従来タイプの視聴コンテンツ２００を表示するのに適したものである。例えば、音響システム１３０は、視聴コンテンツ２００を音響的に提示するためにフィルタ機能および／または均等化機能といった適切な音響処理能力を有することが好ましい。
【００３２】
携帯型メディアデバイス１００は、選択された視聴コンテンツ２００を１人以上のユーザに対して音響的に表示できるようにするために、複数の音響ポート１３４を有することが好ましい。複数のユーザはこれによって個々のヘッドホンセットで、選択された視聴コンテンツ２００の音響部分を楽しむことができる。さらに、各ユーザは表示システム１２２を共有することによって、選択された視聴コンテンツ２００の映像部分を視聴できる。音響ポート１３４は、外部の装置を有線方式で携帯型メディアデバイス１００と結合するために、任意の従来方式、例えば１つ以上の音響ジャックで提供され得る。音響ポート１３４の少なくとも１つは、例えば、米国電気電子学会（ＩＥＥＥ）標準８０２．１５．１に準拠するブルートゥース対応無線ヘッドホンといった無線音響周辺表示装置をサポートするように構成された無線通信ポートとして提供されることが好ましい。
【００３３】
音響システム１３０も同様に、選択された視聴コンテンツ２００の音響部分を任意の従来方式で処理できる。音質を高めるために、音響システム１３０が選択された視聴コンテンツ２００を処理できる例示された処理には、周囲の音をシミュレートするために三次元音響処理を含むことができる。これによって、選択された視聴コンテンツ２００は、通常のスピーカシステムおよび／または通常のヘッドホンセットを介して周囲の音内で音響的に提示できる。音響システム１３０も同様に、視聴コンテンツ２００の音響表示から周囲ノイズを消すために、音響部分のノイズ消去処理を行うことができる。選択された視聴コンテンツ２００の音響部分を音響システム１３０が処理する方式はユーザによって制御できることが好ましい。
【００３４】
図３Ａに示されているように、ユーザインターフェイス１１０には、ユーザ（すなわち、乗客）が携帯型メディアデバイス１００と通信するために入力システム１７０を含めることができる。例えば、入力システム１７０によって携帯型メディアデバイス１００の動作を制御するためにユーザが１つ以上の乗客命令を入力できるようになる。例示された命令には、コンテンツソース３００との通信を始めるための命令、表示のために選択された視聴コンテンツ２００に対する命令、および／または選択された視聴コンテンツ２００の表示を制御するための命令が含まれる。入力システム１７０は、図３Ａで例示されているように、各ユーザ入力を１つ以上の通信信号、例えばコンテンツ選択信号２５０および／または表示制御信号２７０に変換する。もし視聴コンテンツ２００を利用するために料金が必要な場合、支払い情報についても入力システム１７０を介して入力できる。
【００３５】
入力システム１７０は任意の従来方式で提供でき、典型的には、キーボードあるいはキーパッドといった１つ以上のスイッチ（すなわち、押しボタン）、および／またはマウス、トラックボール、あるいはスタイラスといったポインティングデバイス１７４を含む。要望に応じて、入力システム１７０は携帯型メディアデバイス１００と少なくとも部分的に一体化するか、および／またはそれと分離することが可能である。入力システム１７０も同様に、フルサイズのコンピュータキーボード、外付けマウス、および／またはゲームパッドといった（図示されていない）周辺入力装置を携帯型メディアデバイス１００と結合するための（図示されていない）１つ以上の入力ポートを含むことができる。要望に応じて、入力システム１７０は映像システム１２０および／または音響システム１３０と少なくとも部分的に組み合わせることができる。
【００３６】
入力システム１７０のスイッチ１７２および映像システム１２０の表示システム１２２は、例えば、タッチスクリーン表示システムの形態を少なくとも部分的に組み合わせることができる。同様に、表示システム１２２は入力システム１７０を介して入力されるユーザ命令（すなわち、コマンド）に対して視覚フィードバックを行うように構成できる。音響システム１３０の音量レベル、音調レベル、および／またはバランスといった、選択された音響特性が入力システム１７０を介して制御できる場合、例えば、表示システム１２２は音響システム１３０の現時点の音響特性を視覚的に表示できる。音響システム１３０の音響特性を表示する従来方式には、別個の「音響特性」ウィンドウ（あるいは画面）を供給するもの、および／または、現時点の音響特性とともにバーの数が表示される一連のバーを供給するものが含まれる。表示システム１２２は、表示システム１２２の明るさレベルおよび／またはコントラストレベルといった、選択された映像特性に対するユーザ命令、および／またはコンテンツソース３００からの選択された視聴コンテンツ２００の伝送を制御するためのユーザ命令を含む他のタイプのユーザ命令（すなわち、コマンド）に対して視覚的なフィードバックを行うことができる。
【００３７】
図３Ｂに転じると、携帯型メディアデバイス１００は、保存コンテンツ２４０として視聴コンテンツ２００を少なくとも一時的に保存するためのメモリを含むものとして示されている。コンテンツソース３００との通信が維持されるかどうかに関わらず、上記で論じたとおり、視聴コンテンツ２００が携帯型メディアデバイス１００に流されるか、および／または、その後の表示のために保存コンテンツ２４０として保存できる場合、コンテンツソース３００から選択された視聴コンテンツ２００は、これにより、緩衝（バッファリング）できる点で有利になる。視聴コンテンツ２００の安全性を確保する助けとするために、図２Ａ−Ｂを参照しつつ上記で詳細に論じた方式で視聴コンテンツ２００が符号化フォーマットでメモリシステム１４４に保存されることが好ましい。これによって、携帯型メディアデバイス１００および／またはメモリシステム１４４が紛失または盗難にあったとしても、その視聴コンテンツ２００はすぐに使用できない。
【００３８】
メモリシステム１４４は、処理システム１３０と結合されており、ソフトウェアまたはファームウェアといった命令コード、中間計算結果、処理システム１２０と関連付けられた他の情報を含む他の従来のタイプの情報を保存・供給するために、少なくとも１つの集積メモリデバイス１４６を含むことが好ましい。例えば、視聴コンテンツ２００がゲームといったソフトウェアを含む場合、アプリケーションソフトウェアはメモリデバイス１４６に保存され、実行のために処理システム１２０に供給することができる。好ましくは、メモリシステム１４４は非揮発性メモリシステムを備え、適当な電子、磁気、および／または光学式保存メディアといった任意の従来タイプのメモリシステムを制限なく、備えることができる。代表的な保存メディアとしては、１つ以上の静的ランダムアクセスメモリ（ＳＲＡＭ）、動的ランダムアクセスメモリ（ＤＲＡＭ）、電気的消去可能プログラム可能読み出し専用メモリ（ＥＥＰＲＯＭ）、フラッシュメモリ、ハードディスク（ＨＤＤ）、コンパクトディスク（ＣＤ）、および／またはデジタルビデオディスク（ＤＶＤ）が含まれる。携帯型メディアデバイス１００は好ましくは、携帯型手持ち式メディア表示システムとして提供されるため、メモリシステム１４４は、好ましくは、手持ち式システムの物理的寸法および重量が管理可能なままで確実に維持されることを助けるために電子メモリメディアを備える。携帯型メディアデバイス１００は、要望に応じて、視聴コンテンツ２００をメモリシステム１４４に追加、修正、および／またはそこから消去できるように構成されることが好ましい。
【００３９】
要望に応じて、携帯型メディアデバイス１００は、取り外し可能ハードドライブ（ＨＤＤ）システムといった従来の取り外し可能メモリシステム１４４を受け入れるためのパソコンメモリカード国際協会（ＰＣＭＣＩＡ）ポート、安全デジタルデータ（ＳＤ）ポート、安全マルチメディアカード（ＭＭＣ）ポート、および／またはコンパクトフラッシュ（ＣＦ）ポートといった１つ以上のメモリポート１４８を含めることができる。取り外し可能メモリシステム１４４は、好ましくは、事前に選択された視聴コンテンツを含め、ユーザの個人データおよび／または他の所定情報を確実に保存するための個人メモリデバイス（ＰＭＤ）を備える。代表的な個人メモリデバイスは、メモリスティック、安全デジタルデータ（ＳＤ）デバイス、安全マルチメディアカード（ＭＭＣ）デバイスおよび／またはコンパクトフラッシュ（ＣＦ）デバイスを含めることができる。
【００４０】
個人メモリデバイス（ＰＭＤ）を受け入れると、携帯型メディアデバイス１００は個人データおよび／または他の所定情報にすぐにアクセスすることができる。携帯型メディアデバイス１００も同様に、個人メモリデバイス（ＰＭＤ）で保存された事前に選択された視聴コンテンツから視聴コンテンツ２００を選択でき、上記で論じた方式で選択された視聴コンテンツ２００を表示できる。個人メモリデバイス（ＰＭＤ）は、携帯型メディアデバイス１００の使用が終わった後にメモリポート１４８から取り外すことができることが好ましい。メディアの安全性については、安全キー方式と組み合わせて、アップロードプロセスおよび／またはダウンロードプロセスを含む既存の証明済みのアメリカ映画協会（ＭＰＡＡ）認定メディア配信プロセスの利用を可能にすることでさらに高めることができる。
【００４１】
携帯型メディアデバイス１００に１つ以上の周辺システム１８０を備えさせることで携帯型メディアデバイス１００の機能も高めることができる。図３Ｂで示されているように、周辺システム１８０は、（図示されていない）周辺装置を携帯型メディアデバイス１００と取り外し可能に結合するために少なくとも１つの従来の周辺ポート１８２を含めることができる。例示される従来の周辺ポート１８２は、周辺装置を受け入れるためのパソコンメモリカード国際協会（ＰＣＭＣＩＡ）ポート、安全デジタル（ＳＤ）ポート、および／またはコンパクトフラッシュ（ＣＦ）ポートを含めることができる一方、従来の周辺装置の例として、クレジットカードリーダシステム、無線周波数識別（ＲＦＩＤ）システム、および／または動画カメラシステムおよび／または静止画カメラシステムを含む従来のカメラシステムがある。クレジットカードリーダシステムおよび／またはカメラシステムといった、事前に選択された周辺装置１８４も同様に携帯型メディアデバイス１００に組み込むことができる。周辺システム１８０が出力（すなわち、表示）周辺システムを備える場合、携帯型メディアデバイス１００は、周辺映像表示システムおよび／または周辺音響表示システムを参照しつつ上記に詳細に示された方式で表示を行うために、視聴コンテンツ２００または他の関連情報を周辺システム１８０に提供できる。同様に、携帯型メディアデバイス１００は、前述の周辺映像入力装置および／または周辺音響入力装置といった入力周辺システム１８０から視聴コンテンツ２００または他の関連情報を受信できる。
【００４２】
図３Ｂの携帯型メディアデバイス１００は、（図２Ａ−Ｂ）で示されたコンテンツソースとの双方向通信をサポートするように構成されているものとして示される。携帯型メディアデバイス１００は、これによって、図３Ｂに示したように、アップロードコンテンツ２６０を伝送（またはアップロード）できる。図２Ｂを参照しつつ上記で論じられた方式で提供されるアップロードコンテンツ２６０には、事前にコンテンツソース３００から受信された選択視聴コンテンツ２００を含む視聴コンテンツ、メモリシステム１４４に保存された選択保存コンテンツ２４０、および／または、携帯型メディアデバイス１００および／または関連周辺システム１８０によって提供される新コンテンツといった選択された新コンテンツが含まれる。アップロードコンテンツ２６０も同様に、携帯型メディアデバイス１００および／または関連周辺システム１８０によって提供される１つ以上の通信信号を含めることができる。代表的な通信信号には、携帯型メディアデバイス１００および／または関連周辺システム１８０に対するシステム状態信号といった（図示されていない）システム通信信号、および／または入力システム１７０を介してユーザによって開始されるコンテンツ選択信号といったユーザ通信信号が含まれる。
【００４３】
トランシーバシステム１６４は、選択された視聴コンテンツ２００といったアップロードコンテンツ２６０、選択保存コンテンツ２４０、および／または制御システムを介して図３Ｂで示されるようなコンテンツ選択信号２５０を受信できる。図３Ａを参照しつつさらに詳細に論じた方式において、トランシーバシステム１６４はアップロードコンテンツ２６０を処理でき、処理されたアップロードコンテンツ２６０を通信のために通信ポート１６２に供給できる。携帯型メディアデバイス１００とコンテンツソース３００とが通信している場合、トランシーバシステム１６４はアップロードコンテンツ２６０をコンテンツソース３００に伝送（またはアップロード）できる。携帯型メディアデバイスは、これによって、移動中に視聴コンテンツアップロードおよび他の乗客業務に対してサポートを行うといった強化機能を行うことができる。
【００４４】
携帯型メディアデバイス１００の一実施形態が図４Ａ−Ｂで例示される。軽量で薄い娯楽用ポータルとして示される携帯型メディアデバイス１００は通信インターフェイス１６０と人間工学的ユーザインターフェイス１１０とを含み、これらはそれぞれ、図２Ａ−Ｂおよび図３Ａ−Ｂを参照しつつ上記でさらに詳細に示された方式で提供される。図４Ａ−Ｂに転じると、ユーザインターフェイス１１０により（図示されていない）ユーザ（すなわち、乗客）が携帯型メディアデバイス１００、したがって、（図２Ａ−Ｂで示されている）少なくとも１つのコンテンツソース３００と直感的に対話できるようになるが、ユーザインターフェイス１１０には、上記に示されているように、映像システム１２０、音響システム１３０、入力システム１７０が含まれる。表示を行うために（図１で示されている）視聴コンテンツ２００を選択するか、選択された視聴コンテンツ２００の伝送を制御するか、および／または、選択された視聴コンテンツ２００が表示される方式を制御するために構成される入力システム１７０は複数のスイッチ（または押しボタン）１７２およびポインティングデバイス１７４を有するものとして例示される。
【００４５】
スイッチ（または押しボタン）１７２は主電源スイッチ１７２Ａと、少なくとも１つの音量制御スイッチ１７２Ｂとを含むものとして示される。保存された（または時間遅れの）視聴コンテンツ２００に対して、時間遅れの視聴コンテンツ２００の表示を直感的に制御するために、複数のプレイバック制御スイッチ１７２Ｃを提供することができる。例示されるプレイバック制御スイッチ１７２Ｃは、要望に応じて、視聴コンテンツ２００に対する巻戻し、再生、停止（または一時停止）、スキップ、早送り制御機能をもたらすために用いることができる。プレイバック制御スイッチ１７２Ｄも同様に、生の（すなわち、リアルタイムの）視聴コンテンツ２００の表示を制御するために提供される。リアルタイムの視聴コンテンツ２００が、例えば生の衛星テレビ番組および／または生の衛星ラジオ番組を含む場合、プレイバック制御スイッチ１７２Ｄは適切なテレビチャネルおよび／またはラジオ局を選択するように構成できる。スイッチ１７２Ａ−Ｄも同様に、例えば、ミキシング、均等化、および／またはミュート機能といった高コンテンツ表示制御機能、および／または、コンテンツ転送、編集、および／または削除機能といったコンテンツ管理機能を含む他の事前に選択された機能を提供するように構成できる。要望に応じて、入力システム４１０はファイルおよび／またはコンテンツ編集機能を提供することができる。スイッチ１７２Ａ−Ｄの数量、物理的大きさ、配置については、携帯型メディアデバイス１００の使用を容易にするような直観的方式で提供されることが好ましい。
【００４６】
上記において詳細に論じたように、ポインティングデバイス１７４も同様に、任意の従来方式で提供でき、好ましくは、携帯型メディアデバイス１００の使用を容易にするような方式で提供される。携帯型メディアデバイス１００に配設されるポインティングデバイス１７４は、図３Ａで示されるように携帯型メディアデバイス１００に固定できるか、および／または携帯型メディアデバイス１００と取り外し可能に結合できる。ポインティングデバイス１７４は、少なくとも１つの方向１７４Ａおよび少なくとも１つの選択スイッチ１７４Ｂを含む複数の制御スイッチを備えるものとして示される。従来方式において、カーソル１７４Ｃ、および選択可能アイコンといった少なくとも１つの選択可能識別子１７４Ｄは、それぞれ映像システム１３４Ｂを介して表示でき、方向スイッチ１７４Ａは、映像ディスプレイ１２２上で選択された方向で当該の選択可能識別子１７４Ｄに向けてカーソル１７４Ｃを動かすように構成できる。カーソル１７４Ｃが関連する選択可能識別子１７４Ｄに隣接する場合、選択スイッチ１７４Ｂは、関連する選択可能識別子１７４Ｄと関連付けられた機能を始動させることができる。ユーザインターフェイス１１０は、これによってグラフィカルユーザインターフェイス（ＧＵＩ）として提供できる。
【００４７】
例示目的のために実質的に別個のスイッチ１７２を備えるものとして示され、説明されているが、スイッチ１７２Ａ−Ｄと関連付けられる機能は、要望に応じて、さらに組み合わせるか、および／または分離するといったことで再割付けできる。例えば、携帯型メディアデバイス１００は、スイッチ１７２Ａ−Ｄのうちの少なくとも１つの起動時に電源が入り、選択された非使用時間の合計といった任意の適当な所定基準に基づいて電源を切るように構成できる。主電源スイッチ１７２Ａは、これによって、図４Ａの携帯型メディアデバイス１００から省略できる。ポインティングデバイス１７４と関連付けられた機能も同様に、要望に応じて、ポインティングデバイススイッチ１７４Ａ−Ｂをさらに組み合わせるか、および／または分離するといったことで再割付けできる。多少異なる言い方をすると、入力システム１７０と関連付けられた機能は任意の適切な方式でスイッチ１７２および／またはポインティングデバイス１７４内で分配できる。
【００４８】
要望に応じて、携帯型メディアデバイス１００と合わせて用いるために、キーボードおよび／またはゲームパッドといった（図示されていない）追加制御スイッチも提供できる。追加制御スイッチは、複数のスイッチ（または押しボタン）１７２および／または方向スイッチ１７４Ａ、およびポインティングデバイス１７４の選択スイッチ１７４Ｂのうちのスイッチ１７２Ａ−Ｄを参照しつつ上記において示された方式で携帯型メディアデバイス１００に配設できる。同様に、追加制御スイッチは、上記で論じた任意の従来方式で携帯型メディアデバイス１００の１つ以上の入力ポートおよび／または（図３Ｂで示された）周辺ポート１８２を介して携帯型メディアデバイス１００と通信するように構成できる。追加制御スイッチによって、携帯型メディアデバイス１００を広範囲の視聴コンテンツ２００とともに用いることができるようになる点で有利である。
【００４９】
上記で論じたように、携帯型メディアデバイス１００は図４Ａ−Ｂにおいて、映像システム１２０および音響システム１３０を含めるものとして示される。映像システム１２０は、選択された視聴コンテンツ２００の映像部分を表示するのに適している高解像度映像表示システムといった映像表示システム１２２を有する。例えば、表示システム１２２は、少なくとも映像グラフィック・アレイ（ＶＧＡ）解像度を有するワイド画面アクティブ・マトリクス液晶ディスプレイ（ＬＣＤ）が可能である。表示システム１２２の視聴可能面積は、典型的には、約７インチから９インチの間の最小幅を有する。好ましくは、表示システム１２２は、選択された視聴コンテンツ２００の表示をさらに向上させるための平面型画面映像表示システムである。要望に応じて、表示システム１２２は（図示されていない）保護用半透明カバーを含めることができる。保護用半透明カバーは表示システム１２２の視聴エリアを損傷から守るように構成され、全体的に、および／または部分的に、例えば、カバーに色を付けることでカスタマイズできる。
【００５０】
携帯型メディアデバイス１００の音響システム１３０は、選択された視聴コンテンツ２００の可聴部分を表示するのに適しており、任意の従来方式で選択視聴コンテンツ２００の音響部分（あるいは、図３Ａ−Ｂで示されるように選択音響コンテンツ２３０）を音響的に表示できる。携帯型メディアデバイス１００は、図３Ａ−Ｂを参照しつつ上記において詳細に論じた方式で１つ以上の（図３Ａ−Ｂで示されている）スピーカシステム１３２および／または１つ以上の音響ポート１３４を含めることができる。図４Ｂに示されているように、携帯型メディアデバイス１００は、選択された視聴コンテンツ２００を１人以上のユーザに対して音響的に表示できるように、複数の音響ポート１３４を有することが好ましい。複数のユーザはこれによって個々のヘッドホンセットで選択視聴コンテンツ２００の音響部分を楽しむことができる。さらに、各ユーザは表示システム１２２を共有することで、選択された視聴コンテンツ２００（あるいは、図３Ａ−Ｂに示されているように選択映像コンテンツ２２０）の映像部分を視聴できる。図４Ｂにおいて、有線方式で周辺音響表示装置を携帯型メディアデバイス１００と結合するための音響ジャックを備えるものとして示されているが、音響ポート１３４は、上記で論じたとおり、任意の従来のタイプの音響ポートを備えることができる。音響ポート１３４の少なくとも１つは、例えば、米国電気電子学会（ＩＥＥＥ）標準８０２．１５．１に準拠するブルートゥース対応無線ヘッドホンといった無線周囲音響表示装置をサポートするように構成された無線音響ポートとして提供されることが好ましい。
【００５１】
コンパクトなプロファイルを確保する助けとするために、携帯型メディアデバイス１００は、（図２Ａ−Ｂで示された）コンテンツソース３００から流された選択視聴コンテンツ２００を表示するために少数の構成要素しか備えないことが好ましい。例えば、携帯型メディアデバイス１００は、流された視聴コンテンツ２００の表示を容易にするために、（図示されていない）デジタル信号処理システムを含めることができる。デジタル信号処理システムは（図１で示された）制御システム１４０および／または（図２Ａ−Ｂで示された）処理システム１２０を経由するものとして提供でき、１つ以上のマイクロプロセッサ（Ｐ）、中央演算処理装置（ＣＰＵ）、デジタル信号プロセッサ（ＤＳＰ）、および／または符号／復号器（ＣＯＤＥＣ）を含めることができる。
【００５２】
携帯型メディアデバイス１００も同様に、メモリシステム１４４を含めることができる。メモリシステム１４４は、図３Ｂを参照しつつ上記において詳細に示された方式により提供され、常駐ソフトウェアアプリケーションだけでなく、ゲームおよびデータといった他のタイプのアプリケーションソフトウェアを保存するためにフラッシュメモリシステムといったプログラムメモリシステムを有することが好ましい。メモリシステム１４４には任意のハードドライブ（ＨＤＤ）システムを含めることができる。携帯型メディアデバイス１００は、これによって、故障に対する防護といった強化されたプログラム柔軟性および冗長プログラムをもたらすことができる。要望に応じて、携帯型メディアデバイス１００の視聴コンテンツ２００に対するコンテンツソース３００への依存が小さくなるように、視聴コンテンツ２００はハードドライブ（ＨＤＤ）システムに（図示されていない）保存コンテンツ２４０として保存できる。
【００５３】
携帯型メディアデバイス１００は、バッテリシステム１９０から供給される電源で作動するように構成できる、および／または（図示されていない）外部電源と結合されるためにそこから電力を受け入れるための電源ポート１９２を含めることができる。バッテリシステム１９０は、１つ以上の別個のバッテリおよび／またはバッテリパックを含む任意の従来方式で提供できるが、バッテリシステム１９０は再充電可能なバッテリシステムを備えることができる。バッテリシステム１９０は、好ましくは、再充電時間が短く、充電サイクル寿命が長く、長期間にわたって携帯型メディアデバイス１００を作動させるのに十分な電力を供給することができることが好ましい。代表的な再充電可能バッテリシステム１９０は、約８時間以上の長期間の永続的な充電が可能であり、４時間以下の急速再充電時間が可能であり、１０００回を超えて再充電できる少なくとも１つのリチウムイオン重合体バッテリを含めることができる。バッテリシステム１９０の寿命は、バッテリシステム１９０が再充電される方式を制御することにより、および／または、前述のように少数の構成要素しか有さない携帯型メディアデバイス１００を提供することにより延長される。
【００５４】
バッテリシステム１９０は、再充電可能な場合、携帯型メディアデバイス１００から外部から充電可能であり、および／または携帯型メディアデバイス１００が用いられているかどうかにかかわらず、再充電時に外部電源を介して設置可能である。要望に応じて、携帯型メディアデバイス１００は複数の再充電可能バッテリシステム１５０を含めることができるため、携帯型メディアデバイス１００が使用中にバッテリシステム１５０のうちの少なくとも１つが外部から充電可能である。外部電源は、電源アダプタといった任意の従来方式により提供でき、携帯型メディアデバイス１００とともに使用する際に互換性を有する交流電流（ＡＣ）電力および／または直流（Ｄ／Ｃ）電力を供給するように構成される。携帯型メディアデバイス１００が外部電源により供給された電力で動作している場合、もし外部電源が喪失すると、再充電可能バッテリシステム１５０も同様にバックアップ電力を供給することができる。バッテリシステム１９０が再充電を必要としているかどうかを判定するために、携帯型メディアデバイス１００は（図示されていない）バッテリ電力メータを含めることができる。バッテリ電力メータは、バッテリシステム１９０の状態が容易に判定できるように任意の従来方式で提供できる。例えば、バッテリ電力メータは主電源スイッチ１７２Ａと一体化され得る。
【００５５】
図４Ａ−Ｂで例示されているとおり、携帯型メディアデバイス１００は、その使用を容易にするために、１つ以上の他の特性を含めることができる。例えば、携帯型メディアデバイス１００は、任意の適当な色および／または触感を有する魅力的なハウジング１０２内に配設できる。携帯型メディアデバイス１００のハウジング１０２には複数のフィート（脚）を設けることができる。フィート１０４は、（図示されていない）表面上に設けられる場合に携帯型メディアデバイス１００の安定性を確保するよう構成され、任意の適切な配置、数、および／または寸法でハウジング１０２に配設できる。フィート１０４は、好ましくは、ゴム引き材料から形成され、携帯型メディアデバイス１００の安定性を高めるために表面を保持できる。輸送を容易にするために、携帯型メディアデバイス１００は携帯用ハンドル１０６を含み、使用中でない時には、（図示されていない）防護用携帯ポーチ内に配設できる。複数の開口部１０８も同様に、携帯型メディアデバイス１００のハウジング１０２内に形成できる。開口部１０８は、携帯型メディアデバイス１００に対して、安全で確実な作動温度を確保するための換気を行う、および／または便利な保持の細部を提供することを含むさまざまな目的のために機能する。
【００５６】
図４Ｃに転じると、携帯型メディアデバイス１００は視聴サポート１９５を含むものとして示される。携帯型メディアデバイス１００がハンドフリー方式で選択された視聴コンテンツ２００を表示できるように、携帯型メディアデバイス１００をサポートするために視聴サポートが設けられている。視聴サポート１９５は、好ましくは調節可能であり、種々の大きさおよび多様な視聴環境のユーザに合わせるために事前に選定された任意の視角で携帯型メディアデバイス１００をサポートできる。視聴サポート１９５は、携帯型メディアデバイス１００のハウジング１０２と調節可能に結合された拡張部材１９６を含むものとして図４Ｃで例示される。例えば、視聴サポート１９５の近位端領域はヒンジアセンブリ１９７を介してハウジング１０２と回転可能に結合できる。視聴サポート１９５の遠位端領域には、視聴サポート１９５の展開時に携帯型メディアデバイス１００の安定性を確保するために１つ以上のフィート１９８を有してもよい。フィート１９８は、（図４Ａ−Ｂで示された）フィート１０４を参照しつつ上記において詳細に示された方式を含む任意の適切な方式で提供できる。
【００５７】
携帯型メディアデバイス１００も同様に、図４Ｄに示すように、防護カバー１９９を含めることができる。防護カバー１９９は、使用されていない場合に携帯型メディアデバイス１００に対して防護を行うように構成されており、全体的に、あるいは部分的に（図４Ａで示されている）ユーザインターフェイス１１０を覆うことができる。例えば、図４Ｄに示されているように、防護カバー１９９は、（図４Ａに示されている）入力システム１７０の（図４Ａで示されている）表示システム１２２と、（図４Ａで示されている）入力システム１７０の（図４Ａに示されている）スイッチ（または押しボタン）１７２および（図４Ａに示されている）ポインティングデバイス１７４とを回転可能に覆うように構成できる。図４Ｄに示されているように、防護カバー１９９と視聴サポート１９５とは一体化されることが好ましい。視聴サポート１９５は、これによって、上記において示された方式で展開される際に携帯型メディアデバイス１００をサポートでき、携帯型メディアデバイス１００が使用中でない場合に携帯型メディアデバイス１００を防護できる。
【００５８】
図５Ａは、図２Ａ−Ｂおよび３Ａ−Ｂを参照しつつ上記において詳細に示されている方式で提供される人間工学的ユーザインターフェイス１１０を有する携帯型メディアデバイス１００の他の一実施形態を例示する。（図示されていない）ユーザ（すなわち、乗客）は、これによって、携帯型メディアデバイス１００と、したがって、（図２Ａ−Ｂで示されている）少なくとも１つのコンテンツソース３００の間で直感的に対話できる。図５Ａに示されているように、携帯型メディアデバイス１００は、映像システム１２０と、音響システム１３０と、入力システム１７０とを含めることができるが、これらはそれぞれ上記において詳細に論じた方式で提供される。表示を行うために（図１で示されている）視聴コンテンツ２００を選択するか、選択された視聴コンテンツ２００の伝送を制御するか、および／または、選択された視聴コンテンツ２００が表示される方式を制御するために構成される入力システム１７０は複数のスイッチ（または押しボタン）１７２およびポインティングデバイス１７４を有するものとして例示される。
【００５９】
ユーザインターフェイス１１０は、図５Ａで例示されているように、グラフィカルユーザインターフェイス（ＧＵＩ）として提供されることが好ましい。上記において示されているように、映像システム１２０は、選択された視聴コンテンツ２００の映像部分を表示するのに適している高解像度映像表示システムといった映像表示システム１２２を含めることができる。映像表示システム１２２も同様に、携帯型メディアデバイス１００による視覚および／または音響表示を行うために利用可能な（図１で示されている）視聴コンテンツ２００を識別・選択するための対話式階層的メニュー構造１７４Ｘを表示することができる。視聴コンテンツ２００は、コンテンツソース３００からあらかじめ受信された視聴コンテンツ２００、（図３Ｂに示されている）メモリシステム１４４で保存された（図３Ｂで示されている）保存コンテンツ２４０、および／または、携帯型メディアデバイス１００および／または（図３Ｂで示されている）関連周辺システム１８０によって供給される新コンテンツといった選択された新コンテンツを含めることができる。ユーザインターフェイス１１０は、これによって、携帯型メディアデバイス１００を介して表示される視聴コンテンツ２００の選択を容易にできる。
【００６０】
図５Ａに示されているように、視聴コンテンツ２００は、スイッチ（または押しボタン）１７２および／またはポインティングデバイス１７４を介して適当なメニュー選択１７４Ｙを行うことにより表示用の選択を行うことができる。スイッチ１７２および／またはポインティングデバイス１７４は、図４Ａ−Ｄを参照しつつ上記で論じた直観的方式で供給され、携帯型メディアデバイス１００の使用を容易にするために、適当な数量、物理的大きさ、配置により供給されることが好ましい。図５Ａに示されているように、スイッチ１７２は、選択された視聴コンテンツを識別するために適当なメニュー選択１７４Ｙを行うためのスイッチ（または押しボタン）１７２Ｘ，１７２Ｙを含めることができる。ポインティングデバイス１７４も同様に、選択された視聴コンテンツを識別するために用いることができる。音響システム１３０は、音量制御を行うために、スピーカシステム１３２とスイッチ（または押しボタン）１７２Ｙ，１７２Ｚを含めるものとして例示される。
【００６１】
図４Ａ−Ｂを参照しつつ上記で論じた方式において、スイッチ（または押しボタン）は、選択された視聴コンテンツ２００の表示を直感的に制御するように提供できる。１つ以上のスイッチ（または押しボタン）１７２は、要望に応じて、選択された視聴コンテンツ２００に対する巻戻し、再生、停止（または一時停止）、早送り制御機能を行うために用いることができる。視聴コンテンツ２００が、例えば生の衛星テレビ番組および／または衛星ラジオ番組を含む場合、スイッチ１７２は適当なテレビチャネルおよび／またはラジオ局を選択するように構成できる。例示目的のために実質的に別個のスイッチ１７２を備えるものとして示され、説明されているが、スイッチ１７２Ｘ−Ｚと関連付けられる機能は、要望に応じて、さらに組み合わせるか、および／または分離するといったことで再割付けできる。言い換えると、入力システム１７０と関連付けられた機能は任意の適切な方式でスイッチ１７２および／またはポインティングデバイス１７４内で分配できる。
【００６２】
図５Ｂ−Ｃに転じると、携帯型メディアデバイス１００は視聴サポート１９５を含めるものとして示される。携帯型メディアデバイス１００が図４Ｃを参照しつつ上記において詳細に論じた方式でハンドフリー方式によって選択視聴コンテンツ２００を表示できるように、携帯型メディアデバイス１００をサポートするように視聴サポート１９５が構成される。視聴サポート１９５は、好ましくは調節可能であり、種々の大きさおよび多様な視聴環境のユーザに合わせるために事前に選定された任意の視角で携帯型メディアデバイス１００をサポートできる。視聴サポート１９５は、携帯型メディアデバイス１００のハウジング１０２と調節可能に結合される拡張部材１９６を含むものとして図５Ｃに例示される。例えば、視聴サポート１９５の近位端領域は、少なくとも１つのヒンジアセンブリ１９７を介してハウジング１０２と回転可能に結合できる。視聴サポート１９５の遠位端領域は、視聴サポート１９５の展開時に携帯型メディアデバイス１００の安定性を確保する助けとなるように（図示されていない）１つ以上のフィートを含めることができる。フィート（脚）は、（図４Ｃで示されている）フィート１９８を参照しつつ上記において詳細に述べた方式を含む任意の適切な方式で提供できる。
【００６３】
図６Ａに転じると、携帯型メディアデバイス１００は複数のコンテンツソース３００によって供給される選択視聴コンテンツ２００を表示するように構成できる。コンテンツソース３００Ａ−Ｎは、それぞれ視聴コンテンツ２００Ａ−Ｎを供給するものとして示され、携帯型メディアデバイス１００に近接するか、および／またはそこから離れたものが可能である。図２Ａ−Ｂを参照しつつ上記において詳細に示した方式において、携帯型メディアデバイス１００は、表示のために視聴コンテンツ２００Ａ−Ｎから所望の視聴コンテンツ２００を選択でき、選択された視聴コンテンツ２００を表示できる。要望に応じて、携帯型メディアデバイス１００も同様に、図３Ｂを参照しつつ上記において示されたように、１つ以上のコンテンツソース３００Ａ−Ｎに対して視聴コンテンツ２００および／または（図示されていない）システム通信信号といった（図３Ｂで示されている）アップロードコンテンツを伝送できる。携帯型メディアデバイス１００は適切な数のコンテンツソース３００と通信が可能であり、これによって、複数のコンテンツソース３００から視聴コンテンツ２００を供給することにより強化された機能を提供できる。
【００６４】
同様に、複数の携帯型メディアデバイス１００は、それぞれが、選択されたコンテンツソース３００によって供給される視聴コンテンツ２００を表示するように構成できる。図６Ｂに示されているように、選ばれたコンテンツソース３００Ｉは携帯型メディアデバイス１００Ａに視聴コンテンツ２００ＩＡを供給でき、その他の携帯型メディアデバイス１００Ｂ−Ｍはそれぞれ、視聴コンテンツ２００ＩＢ−Ｍを受信することができる。携帯型メディアデバイス１００Ａ−Ｍのおのおのは、選択されたコンテンツソース３００Ｉに近い、および／または、そこから離れたところにあり、表示のために選択されたコンテンツソース３００Ｉから所望の視聴コンテンツ２００ＩＡ−Ｍをそれぞれ選択し、選択された視聴コンテンツ２００ＩＡ−Ｍを表示できる。１つ以上の携帯型メディアデバイス１００Ａ−Ｍは、図３Ｂを参照しつつ上記において示されたように、選択されたコンテンツソース３００Ｉに対して視聴コンテンツ２００および／または（図示されていない）システム通信信号といった（図３Ｂで示されている）アップロードコンテンツを伝送できる。
【００６５】
視聴コンテンツ２００ＩＡ−Ｍは、携帯型メディアデバイス１００Ａ−Ｍ内において実質的に均一および／または異なるものとすることができる。例えば、携帯型メディアデバイス１００Ａで利用可能な視聴コンテンツ２００ＩＡは、サービス加入レベルといった１つ以上の適切な所定基準に基づくものでもよい。サービス加入レベルに基づいて、視聴コンテンツ２００ＩＡの一部、例えば標準の視聴コンテンツ２００は無料であり（すなわちサービス加入レベルに含まれる）、視聴コンテンツ２００ＩＡの他の部分、例えば割増し視聴コンテンツ２００は追加料金に対してだけ利用可能である場合がある。割増し視聴コンテンツ２００にアクセスすることを要望する場合、クレジットカード番号といった支払い情報を含む取引情報、および／または、個人識別番号（ＰＩＮ）あるいはパスワードといった認定情報は、携帯型メディアデバイス１００によって提供できる。好ましくは、携帯型メディアデバイス１００は、図３Ｂを参照しつつ上記において詳細に論じた方式により取引および／または支払いを容易にするために、クレジットカードリーダシステムといった（図３Ｂで示されている）周辺システム１８０を含む。
【００６６】
携帯型メディアデバイス１００の構造、作動、および機能に関連するさらに詳細な内容および特性は、２００１年９月１１日に出願された相互係属の米国特許出願第０９／９５２，６２９号「機内娯楽乗客制御ユニット（ＩＮ−ＦＬＩＧＨＴ  ＥＮＴＥＲＴＡＩＮＭＥＮＴ  ＰＡＳＳＥＮＧＥＲ  ＣＯＮＴＲＯＬ  ＵＮＩＴ）」で開示されているが、この出願は本出願の譲受人に譲渡されており、その開示内容はここでは全て引用により組み込まれる。
【００６７】
携帯型メディアデバイス１００およびコンテンツソース３００は、１つ以上の有線および／無線通信ネットワーク（またはシステム）を介して直接的および／または間接的なものを含む任意の従来方式で通信するように構成できる。図７に転じると、例えば、複数の携帯型メディアデバイス１００は、コンテンツ配信システム４００を介して複数のコンテンツソース３００と通信するものとして示される。コンテンツ配信システム４００は、コンテンツ配信システム４００および／またはコンテンツソース３００に対して有線および／または無線アクセスを行うための複数の従来のアクセスポイント４１０を含む。図７に示されているように、コンテンツソース３００Ａ−Ｎは、アクセスポイント４１０Ａ−Ｎを介してコンテンツ配信システム４００にアクセスでき、一方、アクセスポイント４１０Ａ１−Ｍ，４１０Ｂ１−Ｐは、携帯型メディアデバイス１００Ａ１−Ｎ，１００Ｂ１−Ｐがコンテンツ配信システム４００へアクセスするように構成される。コンテンツ配信システム４００は、これによって、事前に選択されたコンテンツソース３００から視聴コンテンツ２００を受信でき、要望に応じて、１つ以上の所定の携帯型メディアデバイス１００に対して、全体的に、および／または部分的に視聴コンテンツ２００を供給できる。コンテンツ配信システム４００も同様に、図３Ｂを参照しつつ述べた方式で事前に選択された携帯型メディアデバイス１００によって供給される視聴コンテンツ２００および／または（図示されていない）システム通信信号といったアップロードコンテンツ２６０を受信し、１つ以上の所定コンテンツソース３００に対して全体的に、および／または部分的にアップロードコンテンツ２６０を供給するように構成できる。
【００６８】
１つ以上のコンテンツソース３００Ａ−Ｎは、コンテンツ配信システム４００を介して、それぞれ視聴コンテンツ２００Ａ１−Ｍ，２００Ｂ１−Ｍとして１つ以上の携帯型メディアデバイス１００Ａ１−Ｍ，１００Ｂ１−Ｍに対してそれぞれ視聴コンテンツ２００Ａ−Ｎを伝送できる。例えば、コンテンツソース３００Ａからの視聴コンテンツ２００Ａはコンテンツ配信システム４００に供給され、図６Ｂを参照しつつ上記において詳細に述べた方式で視聴コンテンツ２００Ａ１−Ｍとして携帯型メディアデバイス１００Ａ１−Ｍ内にそれぞれ配信される。視聴コンテンツ２００Ａ１−Ｍはそれぞれ全体的に、および／または部分的に視聴コンテンツ２００Ａを含み、携帯型メディアデバイス１００Ａ１−Ｍにおいて実質的に均一、および／または異なっていてもよい。携帯型メディアデバイス１００Ａ１−Ｍのおのおのは、図２Ａ−Ｂを参照しつつ上記において詳細に述べた方式で、それぞれ、関連する視聴コンテンツ２００Ａ１−Ｍ内から所望の視聴コンテンツ２００を選択できる。視聴コンテンツ２００Ａ１−Ｍの選択時、携帯型メディアデバイス１００Ａ１−Ｍは、要望に応じて、選択視聴コンテンツ２００Ａ１−Ｍを表示できる。
【００６９】
同様に、１つ以上の携帯型メディアデバイス１００Ａ１−Ｍ，１００Ｂ１−Ｍは、コンテンツ配信システム４００を介して、それぞれ、アップロードコンテンツ２６０Ａ−Ｎとして１つ以上のコンテンツソース３００Ａ−Ｎに対してアップロードコンテンツ２６０Ａ１−Ｍ，２６０Ｂ１−Ｍを伝送できる。例えば、アップロードコンテンツ２６０Ａ２，２６０Ｂ１および２６０ＢＭは、図６Ａを参照しつつ上記において詳細に述べた方式でアップロードコンテンツ２６０Ｂ，２６０Ｃとしてコンテンツソース３００Ｂ，３００Ｃ間に配信するために、携帯型メディアデバイス１００Ａ２，１００Ｂ１および１００ＢＭによってコンテンツ配信システム４００に供給できる。上記で論じたように、アップロードコンテンツ２６０Ｂ，２６０Ｃは、全体的に、および／または部分的に１つ以上のアップロードコンテンツ２６０Ａ１−Ｍ，２６０Ｂ１−Ｍを組合せたものを含めることができ、コンテンツソース３００Ｂ，３００Ｃ間で実質的に均一、および／または異なっていることが可能である。したがって、携帯型メディアデバイス１００Ａ１−Ｍ，１００Ｂ１−Ｍのおのおのはコンテンツ配信システム４００を介して、要望に応じて、コンテンツソース３００Ａ−Ｎのおのおのと通信できる。
【００７０】
コンテンツ配信システム４００は、あらゆる種類の電話網、ローカルエリアネットワーク（ＬＡＮ）、広域ネットワーク（ＷＡＮ）、キャンパスエリアネットワーク（ＣＡＮ）、パーソナルエリアネットワーク（ＰＡＮ）、および／または無線ローカルエリアネットワーク（ＷＬＡＮ）を含む従来の有線および／または無線通信ネットワークとして提供できる。代表的な無線ローカルエリアネットワークは、米国電気電子学会（ＩＥＥＥ）標準８０２．１１に準拠する無線フィデリティ（Ｗｉ−Ｆｉ）ネットワーク、米国電気電子学会（ＩＥＥＥ）標準８０２．１５．１に準拠するブルートゥースネットワーク、および／または、ＩＥＥＥ標準８０２．１６に準拠するＷｉＭａｘ無線ブロードバンドとしても知られている無線メトロポリタンエリアネットワーク（ＭＡＮ）を含む。
【００７１】
コンテンツ配信システム４００は、好ましくは、携帯型メディアデバイス１００Ａ１−Ｍ，１００Ｂ１−Ｍおよびコンテンツソース３００Ａ−Ｎの間での高速データ通信をサポートするように構成され、好ましくは、少なくとも毎秒約１００メガビット（１００Ｍｂｐｓ）の典型的なデータ転送率を有する任意のタイプの（１００Ｂａｓｅ−Ｘおよび／または１００Ｂａｓｅ−Ｔといった）高速イーサネット通信ネットワークおよび／または（１０００Ｂａｓｅ−Ｘおよび／または１０００Ｂａｓｅ−Ｔといった）ギガビットイーサネット通信ネットワークといった高速イーサネットネットワークを備える。無線通信環境で高速データ転送率を得るために、要望に応じて、空間伝播光学（またはレーザ）技術、ミリ波（またはマイクロ波）技術、および／または超広帯域（ＵＷＢ）技術を用いて、選択された携帯型メディアデバイス１００および／または選択されたコンテンツソース３００との間の通信を行うことができる。
【００７２】
コンテンツ配信システム４００も同様に、任意の適当なトポロジー、プロトコル、および／またはアーキテクチャを有したものとして提供できる。通常のネットワークトポロジーは、携帯型メディアデバイス１００およびコンテンツソース３００の幾何学的配置を備え、メッシュ型、星型、バス型、およびリング型ネットワークトポロジーを含む。コンテンツ配信システム４００のトポロジーも同様に、ネットワークツリートポロジーといった通常のネットワークトポロジーを混成したものを備えることができる。ネットワークプロトコルは、携帯型メディアデバイス１００およびコンテンツソース３００がコンテンツ配信システム４００を介して通信できるルールと信号の共通セットを規定する。例示されたタイプのネットワークプロトコルはイーサネットおよびトークンリングネットワークプロトコルを含む一方、ピアツーピアおよびクライアント／サーバネットワークアーキテクチャが典型的なネットワークアーキテクチャの例になる。当然のことながら、上記において識別されたネットワークシステムタイプ、トポロジー、プロトコル、およびアーキテクチャは単に代表的なものであって、限定的なものではない。
【００７３】
図７に示されているように、携帯型メディアデバイス１００は、任意の適当な所定基準に基づいて２つ以上のデバイスグループ１０５に分けられる。図７の携帯型メディアデバイス１００は、第１のデバイスグループ１０５Ａと第２のデバイスグループ１０５Ｂという２つのデバイスグループ１０５に分けられていることが示されている。例えば、携帯型メディアデバイス１００が、（図８Ａ−Ｂで示されている）乗物５００と関連している場合、第１のデバイスグループ１０５Ａの携帯型メディアデバイス１００は乗物５００のファーストクラスセクションと関連付けることができ、一方、第２のデバイスグループ１０５Ｂの携帯型メディアデバイス１００は乗物５００のコーチクラスセクションと関連付けることができる。同様に、デバイスグループ１０５Ａ，１０５Ｂはそれぞれ、乗物の運転者および乗客に関連付けてもよい。第１のデバイスグループ１０５Ａの携帯型メディアデバイス１００の機能は、第２のデバイスグループ１０５Ｂの携帯型メディアデバイス１００の機能と異なることも可能である。例えば、第１のデバイスグループ１０５Ａの携帯型メディアデバイス１００は、第２のデバイスグループ１０５Ｂの携帯型メディアデバイス１００では利用できない割増しコンテンツにアクセスすることが認めてもよいかもしれない。第２のデバイスグループ１０５Ｂの携帯型メディアデバイス１００も同様に、コンテンツソース２００へのアクセスを認める前に料金を支払う必要があり、一方、第１のデバイスグループ１０５Ａの携帯型メディアデバイス１００はコンテンツソース２００にアクセスするための料金の支払いを行う必要はないかもしれない。
【００７４】
携帯型メディアデバイス１００は、好ましくは、通信を行うように構成される。例えば、視聴コンテンツ２００が移動中に２つ以上の携帯型メディアデバイス１００の間で交換できるように、携帯型メディアデバイス１００はコンテンツ配信システム４００を介して通信できる。携帯型メディアデバイス１００は同一デバイスグループ１０５内の他の携帯型メディアデバイス１００と通信できるように構成され、および／または異なるデバイスグループ１０５の携帯型メディアデバイス１００と通信できるように構成される。これによって、携帯型メディアデバイス１００Ｂ２によって伝送されたアップロードコンテンツ２６０Ｂ２は、携帯型メディアデバイス１００Ａ１に供給される視聴コンテンツ２００Ａ１として、および／または携帯型メディアデバイス１００ＢＰに供給される視聴コンテンツ２００ＢＰとして提供可能となる。
【００７５】
要望に応じて、携帯型メディアデバイス１００は任意の従来方式で初期化できる。例えば、携帯型メディアデバイス１００は、各携帯型メディアデバイス１００の（図４Ｂに示されている）バッテリシステム１９０を完全充電（満充電）まで事前に充電することで初期化できる。携帯型メディアデバイス１００に対しても同様に、均一の視聴コンテンツ２００を初めに供給できる。均一の視聴コンテンツ２００は任意の従来方式で携帯型メディアデバイス１００に供給でき、好ましくは、図３Ｂを参照しつつ上記で論じた方式で（図３Ｂに示されている）保存コンテンツ２４０として（図３Ｂに示されている）メモリシステム１４４によって保存される。携帯型メディアデバイス１００のおのおのは同一の均一視聴コンテンツ２００を受信でき、および／または均一視聴コンテンツ２００をデバイスグループ１０５内で変えることが可能である。各デバイスグループ１０５内の携帯型メディアデバイス１００は、これによって、関連するデバイスグループ１０５と関連付けられた均一視聴コンテンツ２００を受信できる。
【００７６】
図８Ａ−Ｂに転じると、携帯型メディアデバイス１００およびコンテンツソース３００は乗物５００と関連付けることができ、乗物情報システム５１０を形成できる。２００５年５月６日に出願された第１１／１２３，３２７号「移動式プラットフォーム上でコンテンツを管理するためのシステムおよび方法（ＳＹＳＴＥＭ  ＡＮＤ  ＭＥＴＨＯＤ  ＦＯＲ  ＭＡＮＡＧＩＮＧ  ＣＯＮＴＥＮＴ  ＯＮ  ＭＯＢＩＬＥ  ＰＬＡＴＦＯＲＭ）」および２００５年４月１９日に出願された第６０／６７３，１７１号「移動式プラットフォーム上で乗客に対して高品質映像を表示するためのシステムおよび方法（ＳＹＳＴＥＭ  ＡＮＤ  ＭＥＴＨＯＤ  ＦＯＲ  ＰＲＥＳＥＮＴＩＮＧ  ＨＩＧＨ−ＱＵＡＬＩＴＹ  ＶＩＤＥＯ  ＴＯ  ＰＡＳＳＥＮＧＥＲＳ  ＯＮ  ＭＯＢＩＬＥ  ＰＬＡＴＦＯＲＭ）」の相互係属の米国特許出願で詳細に述べられた方式において、これらの各開示内容についてはここでは全て引用によって組み込まれるが、乗物情報システム５１０は従来の情報システムを備えることが可能であり、任意の適切なタイプの乗物５００に設置できるよう構成される。代表的なタイプの乗物としては、制限なく、（図８Ａで示されている）自動車５００Ａ、（図８Ａで示されている）航空機５００Ｂ、バス、娯楽用乗物、および／またはボートを含めることができる。例えば、図８Ｂで例示されているように航空機５００Ｂ上に設ける場合、乗物情報システム５１０は、カリフォルニア州レイクフォレストにある（以前、松下アビオニクス・システムズ社として知られていた）パナソニック・アビオニクス社が製造するシリーズ２０００，３０００，ｅＦｘおよび／またはｅＸ２機内娯楽システムといった従来の航空機乗客機内娯楽システムを備えることが可能である。
【００７７】
図８Ａの乗物情報システム５１０は自動車５００Ａに設置され、従来のメディアサーバシステム５２０を含むものとして例示される。図７を参照しつつ上記において詳細に述べた方式で、メディアサーバシステム５２０は配信システム４００を介して１つ以上の携帯型メディアデバイス１００と通信するように構成される。メディアサーバシステム５２０は、これによって、コンテンツソース３００を参照しつつ前で論じた１つ以上の携帯型メディアデバイス１００に対して視聴コンテンツ２００を供給できる。多少異なる言い方をすると、乗物情報システム５１０のメディアサーバシステム５２０はコンテンツソース３００として機能できる。要望に応じて、メディアサーバシステム５２０も同様に、上記で論じたとおり、１つ以上の携帯型メディアデバイス１００からアップロードコンテンツ２６０を受信できる。したがって、携帯型メディアデバイス１００を用いることで、自動車５００Ａに乗車して移動する乗客は移動中に視聴コンテンツ２００を楽しむことができる。
【００７８】
図８Ａに示されているように、携帯型メディアデバイス１００は自動車５００Ａの乗客用シート６００に関連付けることができる。例えば、運転者シート６００Ａには、第１のデバイスグループ１０５Ａと関連付けられ選択された携帯型メディアデバイス１００が提供され、一方、残りの乗客用シート６００Ｂには、第２のデバイスグループ１０５Ｂと関連付けられ選択された携帯型メディアデバイスが提供される。図７に関して論じた方式において、第１のデバイスグループ１０５Ａの携帯型メディアデバイス１００と関連付けられた機能および／または視聴コンテンツは、第２のデバイスグループ１０５Ｂの携帯型メディアデバイス１００と関連付けられた機能性および／または視聴コンテンツと同一、および／またはそれとは異なっていることが可能である。例えば、運転者は道路に対して注意を払わなければならないことから、第１のデバイスグループ１０５Ａの携帯型メディアデバイス１００も同様に、（図３Ａ−Ｂで示されている）映像システム１２０を含まず、一方、第２のデバイスグループ１０５Ｂの携帯型メディアデバイス１００はビデオシステム１２０を含むことができる。同様に、第１のデバイスグループ１０５Ａの携帯型メディアデバイス１００に対する（図３Ａ−Ｂで示されている）入力システム１７０は、自動車５００Ａの携帯型メディアデバイス１００のおのおのに対して（図３Ａ−Ｂで示されている）音響システム１３０を消音するよう構成することができる。携帯型メディアデバイス１００は選択された視聴コンテンツ２００を表示でき、および／または、乗客用シート６００に追加の機器を設置することなくアップロードコンテンツ２６０を提供することができるという点で有利である。
【００７９】
図８Ｂは航空機５００Ｂに設置される乗物情報システム５１０を例示する。図８Ｂに示されているように、乗物情報システム５１０はメディアサーバシステム５２０と複数の携帯型メディアデバイス１００を含むが、これらはそれぞれ上記において詳細に示された方式で提供される。メディアサーバシステム５２０は航空機５００Ｂ内に配設され、コンテンツソース３００Ａといったコンテンツソース３００として機能するように構成され、上記で論じたように、配信システム４００を介して１つ以上の携帯型メディアデバイス１００と通信できる。（図８Ａに示されている）メディアサーバシステム５２０を参照しつつ示された方式において、図８Ｂのメディアサーバシステム５２０は、コンテンツソース３００を参照しつつ以前に論じたように１つ以上の携帯型メディアデバイス１００に視聴コンテンツ２００Ａを供給することが可能であり、１つ以上の携帯型メディアデバイス１００からアップロードコンテンツ２６０Ａを受信できる。これによって、航空機５００Ｂに乗って移動している乗客は、移動中にメディアサーバシステム５２０によって供給される視聴コンテンツ２００Ａを楽しむことができる。
【００８０】
乗物情報システム５１０も同様に、航空機５００Ｂの外部にある、および／またはそこから離れたところにある地上コンテンツソース３００Ｂといった１つ以上のコンテンツソース３００と通信できるように構成される。乗物情報システム５１０および地上コンテンツソース３００Ｂは、衛星通信システム５６０’といった中間通信システム５６０を介して直接的に、および／または間接的に通信を行うことを含む、任意の従来の無線方式で通信できる。要望に応じて、地上コンテンツソース３００Ｂは、（図示されていない）他の地上コンテンツソースと視聴コンテンツ２００および／またはアップロードコンテンツ２６０と通信し、交換できるように構成可能である。地上コンテンツソース３００Ｂは、インターネット５６５へのアクセスを行うものとして図８Ｂで示される。通信システム５６０は、例示目的のために衛星通信システム５６０’を備えるものとして示され説明されているが、（図示されていない）携帯電話通信システムおよび／または（図示されていない）航空機地上情報システム（ＡＧＩＳ）通信システムといった任意の従来のタイプの無線通信システムを備えることがわかる。
【００８１】
図８Ｂで示されているように、乗物情報システム５１０は、地上コンテンツソース３００Ｂと通信するために従来のアンテナシステム５３０およびトランシーバシステム５４０を含めることができる。（図３Ａ−Ｂで示されている）通信インターフェイス１６０を参照しつつ上記において詳細に論じた方式で、アンテナシステム５３０は地上コンテンツソース３００Ｂから視聴コンテンツ２００Ｂを受信し、トランシーバシステム５４０で処理されると、受信された視聴コンテンツ２００Ｂを乗物情報システム５１０のコンピュータシステム５５０に供給できる。コンピュータシステム５５０は、コンテンツ配信システム４００と通信して、要望に応じて、受信された視聴コンテンツ２００Ｂをメディアサーバシステム５２０および／または１つ以上の携帯型メディアデバイス１００に供給できる。コンピュータシステム５５０およびメディアサーバシステム５２０は、例示目的のために、別個のシステムとして示され説明されているが、少なくとも部分的に一体化できる。
【００８２】
乗物情報システム５１０は、アップロードコンテンツ２６０Ｂを地上コンテンツソース３００Ｂに伝送するように構成されているものとして図８Ｂで示される。（図３Ｂで示されている）通信インターフェイス１６０を参照しつつ上記において詳細に述べた方式において、１つ以上の携帯型メディアデバイス１００および／またはメディアサーバシステム５２０はコンピュータシステム５５０にアップロードコンテンツ２６０Ｂを供給し、トランシーバシステム５４０で処理されると、アンテナシステム５３０にアップロードコンテンツ２６０Ｂを供給できる。アンテナシステム５３０は衛星通信システム５６０’にアップロードコンテンツ２６０Ｂを伝送するものとして例示されるが、この衛星通信システムは、上記で論じたとおり、アップロードコンテンツ２６０Ｂを地上コンテンツソース３００Ｂに中継する。携帯型メディアデバイス１００は、これによって、要望に応じて、地上コンテンツソース３００Ｂからのコンテンツを修正、付加、および／または消去することができる。
【００８３】
（図８Ａで示されている）携帯型メディアデバイス１００を参照しつつ上記において述べた方式で、携帯型メディアデバイス１００は航空機５００Ｂの乗客用シート６００と関連付けることができる。乗客用シート６００Ａは運行乗客用に確保されたシートを備えるものとして示されているが、乗客用シート６００Ｂ，６００Ｃには、旅行者といった他の乗客用のシートを含む。図８Ｂに示されているように、携帯型メディアデバイス１００は３つのデバイスグループ１０５Ａ，１０５Ｂおよび１０５Ｃに分けられる。例えば、運行乗客用に確保された乗客用シート６００Ａには、第１のデバイスグループ１０５Ａと関連付けられた少なくとも１つの選択された携帯型メディアデバイス１００が提供できる。残りの乗客用シート６００Ｂ，６００Ｃはファーストクラス乗客用シート６００Ｂとコーチクラス乗客用シート６００Ｃとに分けられる。ファーストクラス乗客用シート６００Ｂに関連付けられ選択された携帯型メディアデバイス１００は、第２のデバイスグループと関連付けられ、一方、コーチクラス乗客用シート６００Ｃに関連付けられ選択される携帯型メディアデバイス１００は上記において述べた方式で第３デバイスグループ１０５Ｃと関連付けられる。
【００８４】
携帯型メディアデバイス１００と関連付けられた機能およびまたは視聴コンテンツ２００は、デバイスグループ１０５Ａ，１０５Ｂおよび１０５Ｃの間で実質的に均一、および／または異なっていることが可能である。図８Ａを参照しつつ上記において示された方式で、第１のデバイスグループ１０５Ａの携帯型メディアデバイス１００に対する（図３Ａ−Ｂで示されている）入力システム１７０は、航空機５００Ｂの携帯型メディアデバイス１００のおのおのに対して（図３Ａ−Ｂで示されている）音響システム１３０を消音するように構成可能である。第２のデバイス１０５Ｂの携帯型メディアデバイス１００と関連付けられる機能および／または視聴コンテンツ２００も同様に、第３グループ１０５Ｃの携帯型メディアデバイス１００と関連付けられる機能および／または視聴コンテンツと実質的に均一であり、および／またはそれとは異なっていることが可能である。上記において論じた方式において、第３グループ１０５Ｃの携帯型メディアデバイス１００も同様に、１つ以上の所定コンテンツソース３００で利用可能な視聴コンテンツ２００の一部、あるいは実質的に全てに対するアクセスを認める前に料金を支払うように要求することができ、一方、第２のデバイスグループ１０５Ｂの携帯型メディアデバイス１００は、料金を支払う必要がなく、コンテンツソース３００で利用可能な利用可能視聴コンテンツ２００の実質的に全てにアクセスすることができるようにしてもよい。
【００８５】
要望に応じて、１つ以上の選択されたグループ１０５Ａ，１０５Ｂおよび１０５Ｃの携帯型メディアデバイス１００は、乗物５００の目的地、および／または乗物５００の移動経路に関連する、あるいは関連しない他の関心点といった地理と関連付けられた視聴コンテンツ２００を選択して表示するように構成してもよい。例えば、乗客は、ホテル宿泊および／または目的地の地図に関連する視聴コンテンツ２００を選択して視聴することができる。目的地が空港ターミナルである場合、他のフライトに関する到着・出発時刻およびゲート情報といった情報は、乗客に対して、フライトの乗り継ぎを行う、あるいは異なるフライトで空港ターミナルに到着する他の人と落ち合う場合の支援を行うために提供される。
【００８６】
図９Ａ−Ｂは、（図８Ａで示されている）自動車５００Ａおよび／または（図８Ｂで示されている）航空機といった乗物５００の客室５７０の図を示す。客室５７０は、複数の乗客用シート６００と、コンテンツ配信システム４００を介して（図８Ａ−Ｂで示されている）１つ以上のコンテンツソース３００に対するアクセスを行うための少なくとも１つのアクセスポイント４１０とを含むものとして例示されている。これによって、図９Ａ−Ｂの携帯型メディアデバイス１００は、図７を参照しつつ上記において詳細に論じた方式で、コンテンツソース３００から選択された視聴コンテンツ２００を表示でき、および／またはアップロードコンテンツをコンテンツソース３００に伝送できる。携帯型メディアデバイス１００は、図９Ａに示されているように、乗物情報システム５１０の映像表示システム５７２、例えばオーバーヘッド客室映像システム５７２Ａおよび／またはシートバック視聴システム５７２Ｂ、および乗物情報システム５１０の音響表示システム５７４、例えばオーバーヘッドスピーカシステム５７４Ａを補うように機能でき、および／または、図９Ｂに例示されているように映像表示システム５７２および／または音響表示システム５７２を置き換えられるように構成され得る。
【００８７】
携帯型メディアデバイス１００は、図３Ａ−Ｂ，図４Ａ−Ｄおよび図５Ａ−Ｃを参照しつつ上記において詳細に論じた方式で提供され、映像システム１２０、音響システム１３０、および入力システム１７０を含むものとして例示される。携帯型メディアデバイス１００のおのおのも同様に、関連アクセスポイント４１０を介してコンテンツソース３００の少なくとも１つとの通信を容易にするための通信インターフェイス１６０を含む。各乗客用シート６００が少なくとも１つのアクセスポイント４１０の受信可能領域内になるように、コンテンツ配信システム４００のアクセスポイント４１０は任意の適切な方式によって客室５７０内で分配できる。全客室５７０は１つ以上のアクセスポイント４１０の受信可能領域内にあることが好ましい。これによって、アクセスポイント４１０が無線アクセスポイントを含む場合、携帯型メディアデバイス１００が客室５７０内で運ばれるときでも携帯型メディアデバイス１００はコンテンツソース３００との通信を維持することができる。多少異なる言い方をすると、客室５７０は無線フィデリティ（Ｗｉ−Ｆｉ）ホットスポットおよび／またはブルートゥースホットスポットといった無線ホットスポットを備えることができる。
【００８８】
図９Ａに転じると、例えば、各乗客用シート６００は個々のアクセスポイント４１０を含むものとして示される。特に、乗客用シート６００Ｗはアクセスポイント４１０Ｗと関連付けられるのに対して、乗客用シート６００Ｘはアクセスポイント４１０Ｘと関連付けられる。アクセスポイント４１０Ｗ，４１０Ｘは、各乗客用シート６００Ｗ，６００Ｘのアームレスト６１０に設けられるものとして例示される。アクセスポイント４１０Ｗは、無線通信インターフェイス１６０を含む携帯型メディアデバイス１００Ｗといった携帯型メディアデバイス１００と通信できるように構成された無線アクセスポイントである。携帯型メディアデバイス１００Ｘは、通信ケーブル５８０を介して有線アクセスポイント４１０Ｘと結合され、これと通信を行うように構成された無線通信インターフェイス１６０を有するものとして示される。例示目的のために、乗客用シート６００Ｗ，６００Ｘのアームレスト６１０に均一に設けられるように示され説明されているが、アクセスポイント４１０は、乗客用シート内で均一および／または異なる方式を含む任意の従来方式で乗客用シートと関連付けることができる。
【００８９】
図９Ｂのアクセスポイント４１０Ｙ，４１０Ｚはそれぞれが、乗客用シート６００Ｙ，６００Ｚのそれぞれを有する複数の乗客用シート６００を含む受信可能領域を有する。多少異なる言い方をすると、客室５７０および／または乗客用シート６００は、任意の適切な所定基準に基づいて（図示されていない）複数のシートゾーンに分けることができる。シートゾーンがシートクラスに関係する場合、例えば第１のシートグループ６０５Ｙにおける乗客用シート６００Ｙといった乗客用シート６００は、乗物５００のファーストクラスシートゾーン（またはセクション）と関連付けることができ、第２のシートグループ６０５Ｚにおける乗客用シート６００Ｚといった乗客用シート６００は、乗物５００のコーチクラスシートゾーン（またはセクション）と関連付けることができる。したがって、乗物情報システム５１０は、第１のシートグループ６０５における乗客用シート６００Ｙといった乗客用シート６００で用いられる携帯型メディアデバイス１００Ｙといった携帯型メディアデバイス１００に至るアクセスポイント４１０Ｙを介して（図７で示されている）コンテンツソース３００にアクセスできるように設けられている。同様に、第２のシートグループ６０５Ｚにおける乗客用シート６００Ｚといった乗客用シート６００で用いられる携帯型メディアデバイス１００、例えば携帯型メディアデバイス１００Ｚは、アクセスポイント４１０Ｚを介してアクセスする。携帯型メディアデバイス１００は、これによって、（図７で示されている）デバイスグループ１０５を参照しつつ上記において詳細に論じた方式で関連付けられたシートグループ６０５に応じて視聴コンテンツ２００を受信できる。
【００９０】
乗客用シート６００も同様に、携帯型メディアデバイス１００に対してシートに組み込まれた電力を供給できる。図９Ｂで示されているように、各乗客用シート５００には、携帯型メディアデバイス１００に適している所定電圧レベルおよび／または所定電流レベルを有する電力を供給するための電源ポート５９５を含めることができる。携帯型メディアデバイス１００は、好ましくは（図４Ｂで示されている）バッテリシステム１９０によって主に電力供給され、電源ポート５９６を携帯型メディアデバイス１００の電源ポート１９２と結合する電源ケーブル５９０を介してシートに組み込まれた電力を受けることができる。電源ポート５９６は、例示目的のために、乗客用シート６００Ｚのアームレスト６１０に設けられるように示されて説明されているが、乗客用シート内で均一および／または異なる方式を含む任意の従来方式で乗客用シート６００と関連付けることができる。
【００９１】
バッテリシステム１９０は、必要に応じて、定期的に取り替えるか、および／または再充電できる。例えば、客室５７０の（図示されていない）１つ以上の選択された客室コンパートメントは携帯型メディアデバイス１００で用いるように指定できる。客室コンパートメントは、非使用期間に携帯型メディアデバイス１００のバッテリシステム１９０を再充電するための（図示されていない）バッテリ充電システムを含めることができる。バッテリ充電システムは、（図１３Ａ，図１４および図１５Ａ−Ｂで示されている）バッテリ充電システム８３４を参照しつつ上記において示されている方式を含む任意の従来方式で提供できる。乗客娯楽システム５００も同様に２セットの携帯型メディアデバイス１００を含めることができる。１つのセットの携帯型メディアデバイス１００のバッテリシステム１９０は、他のセットの携帯型メディアデバイス１００が使用中に再充電できる。図４Ｃ−Ｄを参照しつつ上記において詳細に論じた方式において、携帯型メディアデバイス１００も同様に、裏返しすることができ、（図４Ｃ−Ｄで示されている）視聴サポート１９５として機能することのできる（図４Ｄで示されている）防護カバー１９９を含めることができる。携帯型メディアデバイス１００は、これによって、シートバックトレイとして機能することができる。
【００９２】
携帯型メディアデバイス１００は、使用されなくなった場合、乗客用シート６００および／または隣接する乗客用シート６００で保管できる。例えば、携帯型メディアデバイス１００は、図９Ｂに示されているように、乗客用シートに形成された保存ポケット６２０Ｚといった保存ポケット６２０内に設置することができる。保存ポケット６２０も同様に、隣接する乗客用シート６００のシートバック６３０および／またはヘッドレスト６４０に設けることができる。保存ポケット６２０を乗客用シート６００Ｙのシートバック６３０に形成されるものとして例示する。
【００９３】
要望に応じて、携帯型メディアデバイス１００も同様に、使用中に、隣接する乗客用シートのシートバック６３０および／またはヘッドレスト６４０といった取付面に配設できる。取付面上に配設されると、携帯型メディアデバイス１００は、好ましくは、（図１０Ａ−Ｊおよび図１１Ａ−Ｆで示されている）取付システム７００，７５０によって支持される。取付システム７００，７５０は任意の従来方式で提供でき、好ましくは、本体部材と、本体部材を取付面と結合するためのシートインターフェイスシステムと、本体部材を携帯型メディアデバイス１００のハウジング１０２と取り外し可能に結合するためのデバイスインターフェイスシステムとを含む。取付システム７００，７５０は、好ましくは、携帯型メディアデバイス１００と乗客用シート６００の取付面との間に形成される所定の視角を調節するように構成される。携帯型メディアデバイス１００は、これによって、ハンドフリー操作を行うように構成できる点で有利である。
【００９４】
例えば、図１０Ａは、乗客用シート６００のヘッドレスト６４０（および／またはシートバック６３０）に携帯型メディアデバイス１００を取り付けるための代表的な取付システム７００を示す。図１０Ａの取付システム７００は、ヘッドレスト６４０が挿入され嵌合する予め形成された第１の事前形成チャネル７１０Ａと、携帯型メディアデバイス１００が挿入されて嵌合する予め形成された第２の事前形成チャネル７２０Ａとを有するフォームパッド７００Ａを備える。取付システム７００も同様に、ヘッドレスト６４０を嵌合するためのクリップアセンブリ７３０Ａと、携帯型メディアデバイス１００を嵌合するための傾斜面７２０とを含むことのできるフォームウェッジ７００’として提供できる。フォームパッド７００Ａおよびフォームウェッジ７００Ａ’は、着水時に浮揚装置として用いるために十分な浮揚性を有するよう構成することができる。
【００９５】
図１０Ｂに転じると、取付けシステム７００は金属プラットフォーム７００Ｂとして提供できる。金属プラットフォーム７００Ｂは、携帯型メディアデバイス１００を支持するための本体部材７１０Ｂを含む。本体部材７１０Ｂは、携帯型メディアデバイス１００の設置できる乗客用シート６００のヘッドレスト６４０と支持部材７３０Ｂとを嵌合するためのクリップアセンブリ７２０Ｂに結合される。本体部材７１０Ｂは、乗客用シート６００のシートバック６３０に対する調節可能な所定視角で携帯型メディアデバイス１００を支持できる。クリップアセンブリ７２０Ｂおよび支持部材７３０Ｂは、本体部材７１０Ｂを使用しないときに収納できるように、本体部材７１０Ｂと回転可能に結合されるものとして示される。
【００９６】
図１０Ｃの取付けシステム７００Ｃは、ヘッドレスト６４０を嵌合するためのクリップアセンブリ７２０Ｃと、携帯型メディアデバイス１００を受け入れて嵌合するための回転支持部材（またはパネル）７３０Ｃとに結合されている本体部材７１０Ｃを有する。携帯型メディアデバイス１００がシートバック６３０に対して調節可能な所定視角で支持できるように、回転支持部材（またはパネル）７３０Ｃは本体部材７１０Ｃに対して回転できる。図１０Ｄは、ヘッドレスト６４０を嵌合するためのクリップアセンブリ７２０Ｄと結合される本体部材７１０Ｄを有する取付けシステム７００Ｄを例示する。携帯型メディアデバイス１００を受け入れて調節可能に嵌合するために本体部材７１０Ｄに溝７３０Ｄを形成する。取付システム７００Ｄは、これによって、上記で論じたとおり、シートバック６３０に対して調節可能な所定視角で携帯型メディアデバイス１００を支持できる。
【００９７】
図１０Ｅに転じると、取付システム７００Ｅは、乗客用シート６００のシートバック６３０および／またはヘッドレスト６４０と結合するための第１の取付部材７１０Ｅを含むものとして示される。第２の取付部材７２０Ｅは第１の取付部材７１０Ｅと協働して嵌合するように構成され、携帯型メディアデバイス１００と結合できる。図１０Ｅに示されているように、第２の取付部材７２０Ｅは、ソフトフックデバイスといった中間部材７３０Ｅを介して携帯型メディアデバイス１００と結合できる。図１０Ｆの取付けシステム７００Ｆは、柔軟で、乗客用シート６００のシートバック６３０および／またはヘッドレスト６４０と嵌合可能な本体部材７１０Ｆを有する。本体部材７１０Ｆは複数の磁気構造７２０Ｆ，７３０Ｆを含めることができ、複数の対応する磁気構造７２０Ｆ’，７３０Ｆ’は携帯型メディアデバイス１００のハウジング１０２に配設できる。磁気構造７２０Ｆ，７２０Ｆ’は携帯型メディアデバイス１００を支持するために反対の極性を有する磁気構造を引き付けるものとして例示され、磁気構造７３０Ｆ，７３０Ｆ’は、携帯型メディアデバイス１００とシートバック６３０との間に所定視角を形成するために、同一極性を有して反発する磁気構造として示される。
【００９８】
図１０Ｇは、乗客用シート６００のヘッドレスト６４０を嵌合できる本体部材７１０Ｇを有する取付システム７００Ｇを示す。取付けシステム７００Ｇも同様に、図１０Ｇで示されるとおり、携帯型メディアデバイス１００を受け入れて調節可能に嵌合するための本体部材７１０Ｇとシートバック６３０との間にギャップ７２０Ｇを形成できる。取付システム７００Ｇは、これによって、上記で論じたとおり、シートバック６３０に対して任意の調節可能な所定視角で携帯型メディアデバイス１００を支持できる。図１０Ｈに転じると、ヘッドレスト６４０を嵌合するための本体部材７１０Ｇを備える取付システム７００Ｈが示される。本体部材７１０Ｇは携帯型メディアデバイス１００を受け入れるためのチャネル７２０Ｈを形成できる。携帯型メディアデバイス１００がチャネル７２０Ｈ内に設けられる場合、携帯型メディアデバイス１００のユーザインターフェイス１１０は、本体部材７１０Ｇに形成される適切な大きさの開口部を介してアクセス可能である。上記において述べた方式において、本体部材７１０Ｇは、任意の所定視角をもたらすために、シートバック６３０に対して回転可能である。
【００９９】
図１０Ｉ−Ｊに転じると、取付システム７００Ｉ，７００Ｊはそれぞれ本体部材７１０Ｉ，７１０Ｊを含むものとして示される。本体部材７１０Ｉ，７１０Ｊは柔軟であり、乗客用シート６００のシートバック６３０および／またはヘッドレスト６４０を嵌合できる。本体部材７１０Ｉは、携帯型メディアデバイス１００の少なくとも一部の回りに巻きつけることで携帯型メディアデバイス１００を支持するように構成され、本体部材７１０Ｊは、携帯型メディアデバイス１００を受け入れて支持するための少なくとも１つの支持ストラップ７２０Ｊと結合されているものとして示される。上記で論じたように、取付システム７００Ｉ，７００Ｊはそれぞれ、適切な方式で携帯型メディアデバイス１００とシートバック６３０との間に所定視角を形成できる。例えば、取付システム７００Ｊは、所定視角を調節するために、風船といった膨張可能部材７３０Ｊを含めたものとして例示される。
【０１００】
同様に、乗客用シート６００のシートバック６３０（および／またはヘッドレスト６４０）に携帯型メディアデバイス１００を取り付けるための代表的な取付けシステム７５０が図１１Ａ−Ｆで例示される。図１１Ａの取付けシステム７５０は、乗客用シート６００のシートバック６３０および／またはヘッドレスト６４０を受け入れて嵌合するための本体部材７６０Ａを備える。支持部材７７０Ａは本体部材７６０Ａによって形成され、携帯型メディアデバイス１００を嵌合して支持できる。支持部材７７０Ａは柔軟な材料で形成され、携帯型メディアデバイス１００とシートバック６３０との間に形成される調節可能な所定視角を形成するために、本体部材７６０Ａに対して曲げることができる。
【０１０１】
図１１Ｂに転じると、取付システム７５０Ｂは、複数の逆向きの支持部材７６０Ｂと調節可能に結合された本体部材７６０Ｂを含むものとして示される。本体部材７６０Ｂは乗客用シート６００のシートバック６３０および／またはヘッドレスト６４０と結合できる。支持部材７６０Ｂは携帯型メディアデバイス１００と協働して嵌合するように構成される。図１１Ｂに示されているように、携帯型メディアデバイス１００は支持部材７６０Ｂの対の間に配設でき、この支持部材７６０Ｂは、携帯型メディアデバイス１００とシートバック６３０との間で所定視角を形成するように携帯型メディアデバイス１００と調節可能に結合できる。図１１Ｃの取付けシステム７５０Ｃは、乗客用シート６００のシートバック６３０および／またはヘッドレスト６４０を嵌合するための本体部材７６０Ｃを有する。本体部材７６０Ｃは、携帯型メディアデバイス１００のハウジングに形成される協働開口部７８０Ｃ内で受け入れ、それによって嵌合できる支持部材７７０Ｃに結合される。携帯型メディアデバイス１００は、これによって、取付けシステム７５０Ｃによって支持できる。本体部材７６０Ｃと支持部材７７０Ｃとを調節可能に結合することで、携帯型メディアデバイス１００とシートバック６３０との間に形成される所定視角が調節できるようになる。
【０１０２】
図１１Ｄは、乗客用シート６００のシートバック６３０および／またはヘッドレスト６４０を嵌合できる細長い本体部材７６０Ｄを有する取付けシステム７５０Ｄを示す。細長い本体部材７６０Ｄの端部領域は、携帯型メディアデバイス１００のハウジング１０２に設けられる協働コネクタアセンブリ７８０と結合するためのコネクタアセンブリ７７０Ｄを含む。取付システム７５０Ｄは、これによって、上記で述べた方式で携帯型メディアデバイス１００を調節可能に支持できる。図１１Ｅに転じると、シートバック６３０および／またはヘッドレスト６４０を嵌合するための本体部材７６０Ｅを備える取付システム７５０Ｅが示される。本体部材７６０Ｅは、携帯型メディアデバイス１００と結合するために、逆向きの端部領域７８０Ｅ’，７８０Ｅ’’と中央領域７９０Ｅとを有する柔軟な本体部材７７０Ｅと結合される。図１１Ｅで示されるとおり、柔軟な本体部材７７０Ｅの１つの端部領域７８０Ｅ’は本体部材７６０Ｅと調節可能に結合され、他の端部領域７８０Ｅ’’は本体部材７６０Ｅと固定結合される。柔軟な本体部材７７０Ｅの端部領域７８０Ｅ’，７８０Ｅ’の間の距離を調節することで、携帯型メディアデバイス１００とシートバック６３０との間で形成される所定視角が調節できる。
【０１０３】
例示目的のために、図１０Ａ−Ｊおよび１１Ｅ−Ｅを参照しつつ代表的な実施形態を示して、説明したが、携帯型メディアデバイス１００は、あらゆる従来方式により隣接する乗客シート６００のシートバック６３０および／またはヘッドレスト６４０に配設可能である。要望に応じて、取付システム７００，７５０は、広告情報を提供するために、テキスト（文字）表示７５５のような表示を含むことができる。図１１Ｆに示されているように、テキスト（文字）表示７５５は携帯型メディアデバイス１００の使用を促進および／または奨励することができる。表示７５５はあらゆる適切な方式で取付システム７００，７５０に設けることができる。
【０１０４】
１つ以上の携帯型メディアデバイス１００を管理する、および／または、後方支援を行うためのデバイス管理システム８００は、図１２に例示される。デバイス管理システム８００は、あらゆる従来方式で携帯型メディアデバイス１００を管理でき、１つ以上のハードウェア構成要素および／またはソフトウェア構成要素を介するといったあらゆる従来方式で提供できる。図３Ｂを参照しつつ上記で論じたように、携帯型メディアデバイス１００は（図３Ｂで示されている）１つ以上の周辺システム１８０を含めることができる。デバイス識別データ８２０をデバイス管理インターフェイス８３０と交換するために、デバイス識別システム８１０を携帯型メディアデバイス１００に設けることができ、そのデバイス管理インターフェイス８３０は、図１２で示されているように、管理データ８４０をデバイス管理データベースシステム８５０と順次交換することができる。
【０１０５】
これによって、携帯型メディアデバイス１００の位置、状態、コンテンツ、性能データといった種々のデバイスパラメータ、および／または利用統計は、デバイス管理システム８００を介して監視できる。デバイスパラメータを監視することによって、デバイス管理データベースシステム８５０は携帯型メディアデバイス１００の過去の記録を維持することができ、将来の利用のために携帯型メディアデバイス１００を構成するように、１つ以上のデバイス構成命令といった管理データ８４０を供給できる。多少異なる言い方をすると、デバイス管理システム８００は、上記において詳細に論じた方式で用いるために携帯型メディアデバイス１００を初期化するように構成できる。
【０１０６】
デバイス識別システム８１０はあらゆる従来方式で提供でき、デバイス管理インターフェイス８３０と通信するための識別通信ポート８１２と、識別データ８２０を受信および／または送信するための互換性のある識別トランシーバシステム８１４と、識別データ８２０を保存するための識別メモリシステム８１６とを含むものとして、図１２で例示される。（図３Ａ−Ｂで示されている）通信ポート１６２に関して上記で詳細に論じた方式において、識別通信ポート８１２は、有線通信をサポートするための有線通信ポート、および／または１つ以上の通信周波数にわたって無線通信をサポートするための無線通信ポートを備えることができる。識別トランシーバシステム８１４は（図３Ａ−Ｂで示されている）トランシーバシステム１６４を参照しつつ上記に述べた方式で提供でき、識別メモリシステム８１６は（図３Ｂで示されている）メモリシステム１４４に関して上記で論じた方式で提供できる。デバイス識別システム８１０は、全体的に、および／または部分的に、周辺システム１８０として提供でき、および／または少なくとも部分的に携帯型メディアデバイス１００に組み込むことができる。例えば、識別メモリシステム８１６は、メモリシステム１４４と分離、あるいは少なくとも部分的に組み込ませることが可能である。
【０１０７】
好ましい一実施形態において、デバイス管理システム８００は従来の無線周波数識別（ＲＦＩＤ）システムとして提供でき、ここでデバイス識別システム８１０はＲＦＩＤタグシステムを備えることができ、デバイス管理インターフェイス８３０はＲＦＩＤリーダ／コンピュータシステムとして提供できる。例えば、デバイス識別システム８１０が受動的ＲＦＩＤタグシステムとして提供される場合、識別トランシーバシステム８１４は、ＲＦＩＤ技術の原理に合致する無線周波数ＩＤトランスポンダを備えることができ、識別通信ポートがタグアンテナシステムとして提供できる。識別通信ポート８１２は識別トランシーバシステム８１４と結合でき、Ｋｏｔｏｌａ他に授与された米国特許第６，８９２，０５２号で詳細に示された従来方式の周知のコイル・オン・チップ技術を用いたマイクロチップアンテナシステムを備えるのが典型的であり、この米国特許の開示内容は、ここでは全体として引用によって組み込まれる。
【０１０８】
識別メモリシステム８１６は、携帯型メディアデバイス１００と関連付けられたデバイス識別データ８２０を保存するように構成できる消去可能プログラム可能読み出し専用メモリ（ＥＥＰＲＯＭ）を含めることができる。例示されるデバイス識別データ８２０は、携帯型メディアデバイス１００のシリアル番号、（図４Ｂで示されている）バッテリシステムのシリアル番号、携帯型メディアデバイス１００の所有者の識別情報、および／または携帯型メディアデバイス１００で保存される（図７で示されている）メディアコンテンツ２００に関する情報を含めることができる。デバイス識別システム８１０は、これによって、デバイス管理インターフェイス８３０からの呼びかけ信号といったダウンロード識別データ８２２を受信でき、受信されたダウンロード識別データから無線周波数（ＲＦ）エネルギーを分離できる。識別通信ポート８１２によって捕捉されたエネルギーは識別トランシーバシステム８１４により処理でき、１つ以上のデバイス管理システムの動作を開始するためにアップロード識別データ８２４をデバイス管理インターフェイス８３０に送信することで応答できる。
【０１０９】
デバイス識別データ８２０は、携帯型メディアデバイス１００および／またはバッテリシステム１９０といった携帯型メディアデバイス１００の１つ以上の個々の構成要素に関する広範囲の情報を含むことができる。携帯型メディアデバイス１００を識別することに加えて、デバイス識別データ８２０は、携帯型メディアデバイス１００に対する状態（および／または性能）情報、および／または、携帯型メディアデバイス１００が最後に使用された日付および／または位置といった過去の保守情報を含むことができる。同様に、現時点のバッテリ充電レベル、および／または充電サイクル回数といった状態（および／または性能）情報をバッテリシステム１９０に供給できる。デバイス識別データ８２０も同様に、携帯型メディアデバイス１００によって保存された視聴コンテンツ２００に関する情報を含むことができる。例えば、デバイス識別データ８２０は、現時点の視聴コンテンツ２００が携帯型メディアデバイス１００にロードされた日付および／または位置、および／または現時点の視聴コンテンツ２００の日付期間および／またはカタログ（またはコンテンツリスト）を含めることができる。視聴コンテンツ２００に対する１つ以上のアクティブなコンテンツセットは、デバイス識別データ８２０によって識別および／または選択できる。要望に応じて、デバイス識別データ８２０も同様に、携帯型メディアデバイス１００の任意のユーザデータオフロードに対するサイクル利用および／または日付といった使用情報、および／または任意のユーザ請求情報といった取引情報を含むことができる。
【０１１０】
デバイス管理インターフェイス８３０は携帯型メディアデバイス１００とデバイス管理データベースシステム８５０との間の通信を容易にするように構成され、携帯型（またはハンドヘルド）システムおよび／または実質的に固定されたシステムを含むことができる。携帯型メディアデバイス１００がデバイス管理インターフェイス８３０と通信している場合、デバイス管理インターフェイス８３０は携帯型メディアデバイス１００によって送信されるアップロード識別データ８２４を受信できる。アップロード識別データ８２４は、識別メモリシステム８１６において現時点で保存されている識別データ８２０といった現時点のデバイス構成情報、および／または携帯型メディアデバイス１００に関する状態（または性能）情報といったアップロードコンテンツ２６０、および／または（図３Ｂで示されている）メモリシステム１４４において現時点で保存されている（図３Ｂで示されている）視聴コンテンツ２００（または保存されているコンテンツ２４０）を含めることができる。メモリシステム１４４において現時点で保存されている視聴コンテンツ２００（または保存されているコンテンツ２４０）に関する情報は携帯型メディアデバイス１００に対する（図示されていない）現時点のコンテンツカタログとして提供できる。
【０１１１】
デバイス管理インターフェイス８３０は、図１２で示されているようにアップロード管理データ８４４としてアップロード識別データ８２４をデバイス管理データベースシステムに供給できる。上記において詳細に述べた方式において、デバイス管理インターフェイス８３０とデバイス管理データベースシステム８５０とは、有線および／または無線通信を介した通信を含む任意の従来方式で通信できる。デバイス管理データベースシステム８５０は各携帯型メディアデバイス１００に対する過去の記録を維持できる。デバイス管理データベースシステム８５０の過去の記録には、デバイス識別システム８１０からの識別データ８２０から得られた情報、および／またはデバイス管理データベースシステム８５０の各携帯型メディアデバイス１００のメモリシステム１４４からのコンテンツカタログを含めることができる。デバイス管理データベースシステム８５０は、アップロード管理データ８４４を受信すると、アップロード管理データ８４４に供給された情報に応じて携帯型メディアデバイス１００に対する過去の記録を更新（および／または、追加）するためにアップロード管理データ８４４を処理できる。
【０１１２】
例えば、デバイス管理データベースシステム８５０は、携帯型メディアデバイス１００が新しい携帯型メディアデバイス１００であるかどうかを判定するためにアップロード管理データ８４４を処理できる。新しい携帯型メディアデバイス１００に対して、デバイス管理データベースシステム８５０は新しい記録を処理できるのに対して、例えば、消失、盗難、および／または陳腐化によってデバイス管理システム８００から除去されたあらゆる携帯型メディアデバイス１００と関連付けられた既存の過去の記録は、要望に応じて、維持、保管、および／または削除できる。デバイス管理データベースシステム８５０も同様に、識別メモリシステム８１６からの識別データ８２０といった現時点のデバイス構成情報、および／または、携帯型メディアデバイス１００に関する状態（または性能）情報といったアップロードコンテンツ２６０、および／またはメモリシステム１４４において現時点で保存されている視聴コンテンツ２００（または保存されているコンテンツ２４０）を含めるために過去の記録を更新（および／または追加）できる。デバイス管理データベースシステム８５０は、これによって、携帯型メディアデバイス１００の現時点のデバイス状態および構成を含めるために過去の記録を更新（および／または追加）できる。
【０１１３】
デバイス管理データベースシステム８５０も同様に、将来の利用ために携帯型メディアデバイス１００を構成するための命令を含むことのできるダウンロード管理データ８４２を供給できる。例示されるダウンロード管理データ８４２は、識別メモリシステム８１６に保存された識別データ８２０を更新するための少なくとも１つの命令、および／またはメモリシステム１４４に保存された視聴コンテンツ２００（または、保存されているコンテンツ２４０）を更新するための命令といった１つ以上のデバイス構成命令を含めることができる。デバイス管理データベースシステム８５０はダウンロード管理データ８４２をデバイス管理インターフェイス８３０に送信できる。デバイス管理インターフェイス８３０は、ダウンロード管理データ８４２を受信すると、受信されたダウンロード管理データ８４２に含まれるデバイス管理命令を実行できる。携帯型メディアデバイスは、これによって、デバイス構成命令に応じて将来の利用のために構成できる。
【０１１４】
ダウンロード管理データ８４２が識別メモリシステム８１６に保存された識別データ８２０を更新するための１つ以上の命令を含む場合、デバイス管理インターフェイス８３０は、ダウンロード識別データ８２２として識別メモリシステム８１６を更新するための命令を携帯型メディアデバイス１００に供給できる。デバイス識別システム８１０はダウンロード識別データ８２２を受信し、ダウンロード識別データ８２２に応じて識別メモリシステムシステム８１６を更新できる。ダウンロード管理データ８４２も同様に、メモリシステム１４４に保存されたコンテンツカタログを更新するための１つ以上の命令を含むことができる。デバイス管理インターフェイス８３０は、ダウンロード管理データ８４２を受信すると、ダウンロード管理データ８４２を処理でき、コンテンツカタログを更新するための命令に応じて視聴コンテンツ２００を携帯型メディアデバイス１００に送信できる。送信された視聴コンテンツ２００は、上記で論じた方式でメモリシステム１４４を介して保存できる。携帯型メディアデバイス１００は、これによって、将来の利用のために構成できる。
【０１１５】
図１３Ａに転じると、デバイス管理システム８００は、選択された携帯型メディアデバイス１００を受け入れるためのデバイスインターフェイスドッキングステーション８３２を有するデバイス管理インターフェイス８３０を含むものとして例示さる。携帯型メディアデバイス１００とデバイスインターフェイスドッキングステーション８３２との間の通信は、携帯型メディアデバイス１００がデバイスインターフェイスドッキングステーション８３２と結合されると自動的に開始されることが好ましい。デバイスインターフェイスドッキングステーション８３２は、電源通信ポート８３２Ａ、コンテンツ通信ポート８３２Ｂ、および／または識別通信ポート８３２Ｃを含めることができる。電源通信ポート８３２Ａは、（図９Ｂで示されている）電源ポート５９５を参照しつつ上記で論じた方式で提供され、携帯型メディアデバイス１００の電源ポート１９２と協働するように構成され、バッテリ充電システム８３４と通信を行う。バッテリ充電システム８３４は、携帯型メディアデバイス１００のバッテリシステム１９０を充電するのに適した所定の電圧および／または電流特性を有する電源８３４を提供できる。
【０１１６】
デバイスインターフェイスドッキングステーション８３２のコンテンツ通信ポート８３２Ｂは携帯型メディアデバイス１００の通信ポート１６２と通信を行うように構成され、（図３Ａ−Ｂで示されている）通信ポート１６２を参照しつつ上記で詳細に述べた方式で提供できる。これによって、デバイスインターフェイスドッキングステーション８３２はメモリシステム１４４からアップロードコンテンツ２６０を受信するか、および／またはメモリシステム１４４に視聴コンテンツ２００を供給できる。識別通信ポート８３２Ｃは、携帯型メディアデバイス１００のデバイス識別システム８１０からのアップロード識別データ８２４を受信する、および／またはデバイス識別システムに対してダウンロード識別データ８２２を供給するよう構成される。識別通信ポート８３２Ｃは、（図１２で示されている）識別通信ポート８１２を参照しつつ上記で論じた方式で提供され、識別通信ポート８１２と、したがって携帯型メディアデバイス１００の識別メモリシステム８１６と通信を行うことができる。
【０１１７】
デバイス管理インターフェイス８３０も同様に、図１３Ａで例示されているように、インターフェイスコンテンツソース８３６および／またはインターフェイスメモリシステム８３３を含めることができる。インターフェイスコンテンツソース８３６は（図２Ａ−Ｂで示されている）コンテンツソース３０Ｄを参照しつつ上記で詳細に述べた方式で提供できるのに対して、インターフェイスメモリシステム８３８は（図３Ｂで示されている）メモリシステム１４４を参照しつつ上記で論じた方式で提供できる。要望に応じて、インターフェイスメモリシステム８３８によって、例えば、ダウンロード管理データ８４２および／またはダウンロード識別データ８２２を少なくとも一時的に保存するのに対して、デバイス管理インターフェイス８３０はダウンロード管理データ８４２を処理する。インターフェイスメモリシステム８３８も同様に、デバイス管理データベースシステム８５０へのアップロード管理データ８４４の送信まで、携帯型メディアデバイス１００のデバイス識別システム８１０から受信したアップロード識別データ８２４を少なくとも一時的に保存できる。多少異なる言い方をすると、インターフェイスメモリシステム８３８は、ダウンロード識別データ８２２、アップロード識別データ８２４、ダウンロード管理データ８４２、および／またはアップロード管理データ８４４に対するバッファシステムとして機能する。
【０１１８】
同様に、インターフェイスコンテンツソース８３６は、携帯型メディアデバイス１００とデバイス管理システム８００との間で交換される視聴コンテンツ２００および／またはアップロードコンテンツに対するバッファシステムをもたらすことができる。図１２を参照しつつ上記で論じた方式において、アップロード識別データ８２４は、携帯型メディアデバイス１００のメモリシステム１４４において現時点で保存されているコンテンツカタログに関する情報を含めることができる。アップロードコンテンツ２６０を含む保存コンテンツ２４０に関する情報は、インターフェイスコンテンツソース８３６によって少なくとも一時的に保存できる。ダウンロード管理データ８４２も同様に、メモリシステム１４４に保存されたコンテンツカタログを更新するための１つ以上の命令を含めることができる。現時点のコンテンツカタログが新しい視聴コンテンツ２００で更新される場合、上記において詳細に述べた方式で、視聴コンテンツをメモリシステム１４４に送信する前に、インターフェイスコンテンツソース８３６は視聴コンテンツ２００を少なくとも一時的に保存できる。
【０１１９】
ダウンロード管理データ８４２がメモリシステム１４４のコンテンツカタログを更新するための命令を含む場合、この命令は、インターフェイスコンテンツソース８３６から選択された視聴コンテンツを供給するための命令を含めることができる。その他の場合、および／または追加として、コンテンツカタログを更新するための命令は選択された視聴コンテンツ２００を含めることができる。例えば、図１３Ａで示されているように、デバイス管理データベースシステム８５０は、メモリシステム１４４のコンテンツカタログを更新するための選択された視聴コンテンツ２００を供給するために、データベースコンテンツソース８５２と関連付けることができる。データベースコンテンツソース８５２は、（図２Ａ−Ｂで示されている）コンテンツソース３００を参照しつつ上記で詳細に述べた方式で提供できる。視聴コンテンツ２００が複数の携帯型メディアデバイス１００にダウンロードされる場合、データベースコンテンツソース８５２は、携帯型メディアデバイス１００のおのおのに対してダウンロードを行うために、選択された視聴コンテンツ２００のコピーをインターフェイスコンテンツソース８３６に転送できることが好ましい。言い換えると、データベースコンテンツソース８５２は全域コンテンツソース３００を含むことができる一方、インターフェイスコンテンツソース８３６は局所的コンテンツソース３００を含むことができる。これによって、データ転送時間を短くできる。図３Ｂを参照しつつ上記で論じた方式において、携帯型メディアデバイス１００によって供給されるアップロードコンテンツ２６０は、全体的に、および／または部分的に、データベースコンテンツソース８５２および／またはインターフェイスコンテンツソース８３６に保存できる。
【０１２０】
デバイス管理システム８００の操作については、図１３Ｂで示されているように、携帯型メディアデバイス１００のセットを管理するための代表的な方法８６０を参照しつつ論じる。例示目的のために、選択された操作シーケンス８６０Ａ−Ｏとして含むものとして示されて説明されているが、デバイス管理システム８００はあらゆる適切な方式で携帯型メディアデバイス１００のセットを管理できる。代表的な方法８６０は８６０Ａで開始される。８６０Ｂにおいて、デバイス管理システム８００は携帯型メディアデバイス１００のセットを受け入れるものとして示される。携帯型メディアデバイス１００の１つが８６０Ｃで選択され、８６０Ｄにおいて、選択された携帯型メディアデバイス１００は、上記で論じた方式でデバイスインターフェイスドッキングステーション８３２に配設される。
【０１２１】
選択された携帯型メディアデバイス１００がデバイスインーフェイスドッキングステーション８３２に配設される場合、選択された携帯型メディアデバイス１００の電源ポート１９２はデバイスインターフェイスドッキングステーション８３２の協働電源通信ポート８３２Ａと結合できる。バッテリ充電システム８３４は、これによって、８６０Ｅにおいて、選択された携帯型メディアデバイス１００のバッテリシステム１９０の充電を開始できる。バッテリシステム１９０は任意の従来方式で充電できるが、バッテリ充電システム８３４はバッテリシステム１９０を急速充電することが好ましい。これによって、選択された携帯型メディアデバイス１００の休止時間が短くできる。
【０１２２】
選択された携帯型メディアデバイス１００の通信ポート１６２および識別通信ポート８１２と、デバイスインターフェイスドッキングステーション８３２のコンテンツ通信ポート８３２Ｂおよび識別通信ポート８３２Ｃとが同様にそれぞれ通信できる。これによって、選択された携帯型メディアデバイス１００は、図１２を参照しつつ上記で詳細に述べた方式で、デバイスシリアル番号といった選択された識別パラメータ、および／または、オフロード利用統計値、現時点のコンテンツカタログ、アクティブなコンテンツカタログといった選択されたデバイス状態（または性能）パラメータ、および／またはバッテリシステム１９０に関する現時点の充電レベルを含む１つ以上の所定デバイスパラメータをデバイス管理インターフェイス８３０に供給できる。上記で述べたように、デバイス管理インターフェイス８３０は、選択された携帯型メディアデバイス１００からの所定デバイスパラメータを、８６０Ｆでダウンロード管理データ８４２としてデバイス管理データベースシステム８５０に供給できる。
【０１２３】
ダウンロード管理データ８４２を受信すると、デバイス管理データベースシステム８５０は、図１２を参照しつつ上記で論じたように、ダウンロード管理データ８４２に含まれる情報を含めるように、選択された携帯型メディアデバイス１００の過去の記録を更新できる。デバイス管理データベースシステム８５０も同様に、将来の利用ために携帯型メディアデバイス１００を構成するための命令を含むことの可能なダウンロード管理データ８４２を供給できる。８６０Ｇにおいて、デバイス管理データベースシステム８５０はダウンロード管理データ８４２をデバイス管理インターフェイス８３０に供給できる。デバイス管理インターフェイス８３０は、次に、ダウンロード管理データ８４２と関連付けられた命令に応じて、選択された携帯型メディアデバイス１００を構成できる。上記で論じた方式において、ダウンロード管理データ８４２も同様に、選択されたメディアコンテンツ２００を、インターフェイスコンテンツソース８３６を介して少なくとも一時的に保存できる選択された携帯型メディアデバイス１００のコンテンツカタログを更新するために、選択されたメディアコンテンツ２００を含めることができる。
【０１２４】
したがって、デバイス管理インターフェイス８３０は、８６０Ｈで、ダウンロード管理データ８４２と関連付けられた命令に応じて、選択されたメディアコンテンツ２００を選択された携帯型メディアデバイス１００に供給できる。上記で論じた方式において、デバイス管理インターフェイス８３０も同様に、ダウンロード識別データ８２２を供給することでデバイス識別システム８１０を更新できる。選択されたメディアコンテンツ２００および／またはダウンロード識別データ８２２を受信すると、選択された携帯型メディアデバイス１００は、上記において述べた方式で、８６０Ｉで、受信確認をデバイス管理データベースシステム８５０に供給できる。受信確認は、選択された携帯型メディアデバイス１００に正しい視聴コンテンツ２００がロードされたことを確認するための品質確認を含めることができる。所定デバイスパラメータを参照しつつ上記で論じたように、受信確認も同様に、デバイスシリアル番号といった選択された識別パラメータ、および／または現時点のコンテンツカタログ、アクティブなコンテンツカタログ、バッテリシステム１９０の現時点の充電レベルといった選択されたデバイス状態（またはパラメータ）、および／または「デバイス準備完了」状況パラメータを含む１つ以上の所定デバイスパラメータを含めることができる。デバイス管理データベースシステム８５０は、受信確認に含まれる情報の少なくとも一部を含めるように携帯型メディアデバイスの過去の記録を更新することが好ましい。
【０１２５】
受信確認がバッテリシステム１９０の現在の充電レベルを含めることが好ましいことから、デバイス管理データベースシステム８５０は、８６０Ｊで、選択された携帯型メディアデバイス１００のバッテリシステム１９０が完全充電されているかどうかを判定できる。バッテリシステム１９０が完全充電されていない場合、デバイス管理データベースシステム８５０は、８６０Ｋで、バッテリシステム１９０を継続して充電できる。デバイス管理データベースシステム８５０はその後、バッテリシステム１９０が完全充電されたかどうかを判定するために、８６０Ｊで、バッテリシステム１９０の更新された現時点の充電レベルを定期的に要求できる。バッテリシステム１９０の現時点の充電レベルにおいて、バッテリシステム１９０が完全充電されていることが示されると、選択された携帯型メディアデバイス１００は将来の利用の準備ができ、８６０Ｌで、デバイスインターフェイスドッキングステーション８３２から除去できるようになる。８６０Ｍで、セット内の各携帯型メディアデバイス１００は処理され、上記において述べた方式で将来の利用のために準備される。処理が完了すると、携帯型メディアデバイス１００のセットは、８６０Ｎで利用のために提供でき、８６０Ｏで処理が終了する。
【０１２６】
図１４は、図１３Ａ−Ｂを参照しつつ上記で述べた方式で複数の携帯型メディアデバイス１００を同時に処理するためのデバイス管理システム８００を例示する。デバイス管理システム８００は、デバイス管理データベースシステム８５０と通信を行う複数のデバイス管理インターフェイス８３０を含むものとして示される。各デバイス管理インターフェイス８３０も同様に、複数の携帯型メディアデバイス１００を受け入れるためのデバイスインターフェイスドッキングステーション８３２を含めることができる。これによって、デバイス管理インターフェイス８３０は当該の各携帯型メディアデバイス１００からデバイス識別データ８２０を受信でき、上記で論じた方式で管理データ８４０としてデバイス識別データ８２０を全体的に、および／または部分的にデバイス管理データベースシステム８５０に送信できる。デバイス管理データベースシステム８５０は携帯型メディアデバイスの各々の過去の記録を維持でき、上記において述べた方式で将来の利用のために携帯型メディアデバイスの各々を構成するための構成命令を与えることができる。
【０１２７】
デバイスインターフェイスドッキングステーション８３２の各々は、図１２および１３Ａ−Ｂを参照しつつ上記で詳細に論じた方式で携帯型メディアデバイス１００を更新できる。例えば、デバイスインターフェイスドッキングステーション８３２Ａといった選択されたデバイスインターフェイスドッキングステーション８３２は、好ましくは高速データ通信を介して、図３Ａを参照しつつ上記で述べた有線方式および／または無線方式で、関連付けられた携帯型メディアデバイス１００に更新された視聴コンテンツ２００を供給できる。携帯型メディアデバイス１００が無線データ通信を介して更新された視聴コンテンツ２００を受信すると、更新された視聴コンテンツ２００は、任意の従来方式で、関連付けられた１つ以上の携帯型メディアデバイス１００に配信できる。例えば、選択されたデバイスインターフェイスドッキングステーション８３２は、関連する携帯型メディアデバイス１００を順次更新でき、および／または２つ以上の関連する携帯型メディアデバイス１００を並行して更新できる。言い換えると、選択されたデバイスインターフェイスドッキングステーション８３２は、関連する携帯型メディアデバイス１００に更新された視聴コンテンツ２００を１つずつ供給でき、および／または、関連携帯型メディアデバイス１００の２つ以上、好ましくは全てに対して更新された視聴コンテンツ２００を同時に送信することができる。
【０１２８】
デバイス管理インターフェイス８３０Ａといった選択されたデバイス管理インターフェイス８３０に対するデバイスインターフェイスドッキングステーション８３２は、均一および／または異なった方式で携帯型メディアデバイス１００を処理するように構成できるが、デバイスインターフェイスドッキングステーション８３２は携帯型メディアデバイス１００を均一に処理することが好ましい。多少異なる言い方をすると、選択されたデバイス管理インターフェイス８３０と関連付けられた携帯型メディアデバイス１００は均一な方式で処理され、これによって、携帯型メディアデバイス１００が均一な視聴コンテンツ２００で更新され、デバイス識別システム８１０がデバイス識別データ８２０で均一に更新されることが好ましい。当該の携帯型メディアデバイス１００の（図１３Ａで示されている）メモリシステム１４４は、これによって（図３Ｂで示されている）同一の視聴コンテンツ２００（または保存されたコンテンツ２４０）を保存できる。携帯型メディアデバイス１００は、これによって、さらに迅速な方式で将来の利用のために均一に更新できる。
【０１２９】
図７を参照しつつ上記で詳細に論じた方式において、携帯型メディアデバイス１００は（図７で示されている）２つ以上のデバイスグループ１０５に分離できる。したがって、デバイス管理インターフェイス８３０はデバイスグループ１０５に応じて割り当ててもよい。例えば、デバイス管理インターフェイス８３０Ａは（図７で示されている）第１のデバイスグループ１０５Ａと関連付けられた携帯型メディアデバイス１００を処理するように構成できるのに対して、（図７で示されている）第２のデバイスグループ１０５Ｂと関連付けられた携帯型メディアデバイス１００はデバイス管理インターフェイス８３０Ｎで処理できる。これによって、各デバイスグループ１０５の携帯型メディアデバイス１００は並列方式で将来の利用のために同時に準備できる。
【０１３０】
各デバイス管理インターフェイス８３０Ａ−Ｎは、別個のバッテリ充電システム８３４Ａ−Ｎ、インターフェイスコンテンツソース８３６Ａ−Ｎ、および／またはインターフェイスメモリシステム８３８Ａ−Ｎをそれぞれ含むものとして示される点で有利である。ダウンロード管理データ８４２Ａ−Ｎおよび／または選択された視聴コンテンツ２００Ａ−Ｎは、インターフェイスコンテンツソース８３６Ａ−Ｎおよび／またはインターフェイスメモリシステム８３８Ａ−Ｎを介して各デバイス管理インターフェイス８３０Ａ−Ｎで局所的に保存できる。これによって、デバイス管理データベースシステム８５０は、各デバイス管理インターフェイス８３０Ａ−Ｎに選択された視聴コンテンツ２００Ａ−Ｎを繰り返し供給する必要がなくなる。それに代わり、選択された視聴コンテンツ２００Ａ−Ｎは関連するインターフェイスコンテンツソース８３６Ａ−Ｎで局所的に保存できる。携帯型メディアデバイス１００が均一であることが好ましいことから、バッテリ充電システム８３４Ａ−Ｎによって供給される電源８３４Ａ−Ｎは均一であることが好ましい。要望に応じて、デバイス管理データベースシステム８５０も同様に、インターネット５６５に対するアクセスが可能である。これによって、デバイス管理データベースシステム８５０は、１つ以上の他のデバイス管理データベースシステム８５０、および／または、デバイス管理データベースシステムの各々によって維持される過去の記録を調整するための（図示されていない）中央（または主）デバイス管理データベースシステムと通信できる。
【０１３１】
デバイス管理システム８００のための連結型ドッキングステーション８７０の例示的一実施形態を図１５Ａに示す。連結型ドッキングステーション８７０は、（図示されていない）外部電源から入力電源が入力されると、スイッチングシステム８７６および電源８７８を含み、サーバシステム８７４と通信するように構成される。サーバシステム８７４は従来のコンピュータサーバシステムを備えることができ、要望に応じて、（図１３Ａおよび図１４で示されている）インターフェイスコンテンツソース８３６および／または（図１３Ａおよび図１４で示されている）インターフェイスメモリシステム８３８を少なくとも部分的に組み込むことができる。サーバシステム８７４は、図１４を参照しつつ上記で論じた方式で複数のドッキングステーション８７０と通信できるように構成することが好ましい。電源８７８は、携帯型メディアデバイス１００の（図４Ｂで示されている）バッテリシステム１９０に適した所定電圧レベルおよび／または所定電流レベルを有する電力に入電力を変換する。
【０１３２】
スイッチングシステム８７６によって、サーバシステム８７４と複数のデバイスインターフェイスドッキングステーション８３２との間の通信が容易になるが、これらはそれぞれ、図１３Ａを参照しつつ上記で詳細に述べた方式で提供される。スイッチングシステム８７６は、好ましくは高速スイッチングシステムを備え、２００５年５月６日に出願された第１１／１２３，３２７号「移動式プラットフォームのコンテンツを管理するためのシステムおよび方法（ＳＹＳＴＥＭ  ＡＮＤ  ＭＥＴＨＯＤ  ＦＯＲ  ＭＡＮＡＧＩＮＧ  ＣＯＮＴＥＮＴＳ  ＯＮ  ＭＯＢＩＬＥ  ＰＬＡＴＦＯＲＭ）」の名称の相互係属の前述の米国特許出願で示された方式で従来タイプのスイッチング（またはルーティング）システムとして提供できる。例えば、（１０００Ｂａｓｅ−Ｘおよび／または１０００Ｂａｓｅ−Ｔといった）ギガビットイーサネット標準に準拠した通信をサポートするように構成される場合、スイッチングシステム８７６は、毎秒１０、１００、あるいは１０００メガビット（１０／１００／１０００Ｍｂｐｓ）、および／または、半二重フォーマットおよび／または全二重フォーマットといった二重フォーマットを含む適切な通信データ速度を扱うことができる。
【０１３３】
これによって、複数の携帯型メディアデバイス１００がデバイスインターフェイスドッキングステーションで８３２に配設される場合、連結型ドッキングステーション８７０は携帯型メディアデバイス１００のバッテリシステム１９０の充電を自動的に開始できる。連結型ドッキングステーション８７０も同様に、上記で論じた方式で（図１４で示されている）デバイス識別データ８２０のダウンロード、（図１４で示されている）視聴コンテンツ２００の更新、および／またはデバイス識別データ８２０の更新を自動的に開始することができる。デバイス識別データ８２０のダウンロードと、視聴コンテンツ２００およびデバイス識別データ８２０の更新とは、サーバシステム８７４によって実行されるソフトウェアアプリケーションを介して制御できる。上記で論じた方式において、サーバシステム８７４は、携帯型メディアデバイス１００に更新された視聴コンテンツ２００を１つずつ供給できるか、および／または、関連する携帯型メディアデバイス１００の２つ以上、好ましくは全てに対して更新された視聴コンテンツ２００を同時に送信することができる。サーバシステム８７４も同様に、携帯型メディアデバイス１００からクレジットカード情報といった任意の取引情報を抽出でき、取引情報を安全に処理できる。
【０１３４】
連結型ドッキングステーション８７０は、各デバイスインターフェイスドッキングステーション８３２に対して少なくとも１つの（図示されていない）インジケータシステムを提供することが好ましい。外部インジケータシステムは、例えば、当該のバッテリシステム１９０の状態を示すことができる。デバイスインターフェイスドッキングステーション８３２が空であるかどうかを示すことに加えて、外部インジケータシステムは、当該のバッテリシステム１９０が充電されているところかどうか、完全充電されているかどうか、および／または不良のため取替が必要であるかどうかを示すことができる。各デバイスインターフェイスドッキングステーション８３２に対して視聴コンテンツの更新および／またはデバイス識別データの更新の状態を示すために、同様のインジケータシステムを設けてもよい。
【０１３５】
要望に応じて、デバイス識別データ８２０のダウンロードおよび／または視聴コンテンツ２００および／またはデバイス識別データ８２０の更新は、バッテリシステム１９０の充電と別に行うことができる。図１５Ｂは、（図１５Ａで示されている）携帯型メディアデバイス１００とは別にバッテリシステム１９０を充電するためのバッテリ充電ステーション８８０を例示する。要望に応じて、バッテリ充電ステーション８８０も同様に、携帯型メディアデバイス１００に対して予備のバッテリシステム１９０を充電するために用いられる点が有利である。バッテリ充電ステーション８８０は、それぞれ入電圧８８２を受信して入電圧８８２を電圧に変換する複数の電源／充電回路モジュール８８４を含み、（図１５Ａで示されている）電源８７８を参照しつつ上記で論じたバッテリシステム１９０に適した所定電圧レベルおよび／または所定電流レベルを有するものとして示される。好ましくは、バッテリ充電ステーション８８０が即座にバッテリシステム１９０を充電できる。例えば、バッテリシステム１９０が８時間のバッテリ寿命を有する場合、バッテリ充電ステーション８８０は約４乃至５時間でバッテリシステム１９０を完全充電することができる。バッテリ充電ステーション８８０は、好ましくは、上記において述べた方式で各バッテリシステム１９０の状態を示すために少なくとも１つの（図示されていない）外部インジケータを与える。
【０１３６】
典型的な適用例において、デバイス管理システム８００は、図１６Ａで例示されているように、空港ターミナル９００と関連付けることができる。空港ターミナル９００は、ゲートグループ９１０Ａ−Ｎに分かれる複数のゲート９１０を含む。各ゲートグループ９１０Ａ−Ｎは、乗物情報システム５１０を有する航空機５００Ｂを含む、航空機５００Ｂにサービスを提供するための地上サポートステーション（サービスステーション）９２０Ａ−Ｎとそれぞれ関連付けられている。図１６Ａで例示されているように、地上サポートステーション９２０Ａ−Ｎのおのおのは、図１３Ａ−Ｂおよび１４を参照しつつ上記で詳細に述べた方式で携帯型メディアデバイス１００を均一に処理するために、少なくとも１つのデバイスインターフェイスドッキングステーション８３２Ａ−Ｎを含む。
【０１３７】
デバイス管理データベースシステム８５０は、上記において述べたデータベースコンテンツソース８５２、および／または２００５年５月６日に出願された第１１／１２３，３２７号「移動式プラットフォームのコンテンツを管理するためのシステムおよび方法（ＳＹＳＴＥＭ  ＡＮＤ  ＭＥＴＨＯＤ  ＦＯＲ  ＭＡＮＡＧＩＮＧ  ＣＯＮＴＥＮＴＳ  ＯＮ  ＭＯＢＩＬＥ  ＰＬＡＴＦＯＲＭ）」の名称の相互係属の前述の米国特許出願で示した方式で提供される空港ターミナルネットワーク９３０と通信するように構成されるものとして示される。これによって、デバイス管理システム８００は、上記において詳細に論じた方式でデバイス管理インターフェイス８３０Ａ−Ｎを介してデータベースコンテンツソース８５２からの視聴コンテンツ２００および／または空港ターミナル９３０からの旅行情報コンテンツ９４０を含めるように携帯型メディアデバイス１００を構成できる。代表的な旅行情報コンテンツ９４０は、フライト番号、航空機尾翼番号、ゲート番号、フライト出発および到着時刻データ、および／または乗客データといった各フライトに関するあらゆる従来タイプの情報を含むことができる。
【０１３８】
地上サポートステーション９２０Ａにおけるデバイス管理インターフェイス８３０Ａは空港ターミナルネットワーク９３０から旅行情報コンテンツ９４０にアクセスを行い、例えば、選択された将来の出発フライトで用いるために、携帯型メディアデバイス１００の第１のセット１００’を準備できる。上記で論じた方式において、携帯型メディアデバイス１００は均一な視聴コンテンツ２００Ａを含めるように構成でき、デバイス管理データベースシステム８５０は第１のセット１００’で各携帯型メディアデバイス１００の記録を更新できる。これによって、デバイス管理データベースシステム８５０の記録は、例えば、シリアル番号で識別された第１のセット１００’の携帯型メディアデバイス１００の各々を、例えば、フライト番号、ゲート番号、および／または航空機尾翼番号で識別される、選択された将来の出発フライトと関連付ける。
【０１３９】
したがって、図１６Ａで示されるように、航空機５００Ｂ’といった当該の航空機５００Ｂが空港ターミナル９００に着陸し、ゲートグループ９１０Ａの中の適当なゲート９１０に到着すると、（図示されていない）地上クルーは携帯型メディアデバイス１００の第１のセット１００’を航空機５００Ｂ’に提供できるか、および／または、入港するフライトで用いられた航空機５００Ｂ’からの携帯型メディアデバイス１００の第２のセット１００’’を検索できる。航空機５００Ｂ’にロードされた第１のセット１００’の各携帯型メディアデバイス１００、および／または航空機５００Ｂ’から検索された第２のセット１００’’の各携帯型メディアデバイス１００を走査するために、携帯型（またはハンドヘルド）デバイス管理インターフェイス８３０Ａ’が航空機５００Ｂ’に提供できる。航空機５００Ｂ’において携帯型メディアデバイス１００を走査することで、第１のセット１００’の各携帯型メディアデバイス１００が航空機５００Ｂ’にロードされるか、および／または、第２のセット１００’’の各携帯型メディアデバイス１００が空港ターミナル９００に到着したことを反映して、デバイス管理データベースシステム８５０によって維持された過去の記録が更新できる。品質保証目的のために、地上クルーおよび航空機５００Ｂの代表者がそれぞれ、携帯型メディアデバイス１００の番号を確認し、配信および受信のために電子署名を行う。
【０１４０】
携帯型メディアデバイス１００の第２のセット１００’’は、上記において述べたようにデバイス管理インターフェイス８３０Ａで処理できる。これによって、デバイス管理データベースシステム８５０は、地上サポートステーション９２０Ａへの携帯型メディアデバイス１００の返却に関する情報を含めるために、携帯型メディアデバイス１００の第２のセット１００’’に対する過去の記録を更新でき、上記で論じたように、１つ以上の次のフライトで用いるために、全体的に、および／または部分的に第２のセット１００’’の携帯型メディアデバイス１００を再構成するための構成命令を与えることができる。必要に応じて、航空機５００Ｂに搭載されていることが識別されたものの携帯型メディアデバイス１００の第２のセット１００’’が航空機５００Ｂ’から回収された時に走査されなかった第２のセット１００’’の任意の携帯型メディアデバイス１００を反映するように、デバイス管理データベースシステム８５０で維持される過去の記録も同様に更新できる。第２のセット１００’’で欠けている携帯型メディアデバイス１００は、例えば、消失および／または盗難を含む種々の理由によって航空機５００Ｂ’から回収されなかった可能性がある。したがって、電子追跡によって各携帯型メディアデバイス１００の完全な過去の記録の維持が容易にできる。これによって、デバイス管理システム８００が携帯型メディアデバイス１００のロジスティック制御および管理を行うことのできる点で有利であり、および／または航空機５００Ｂ’の所有者に関連データを提供できる。
【０１４１】
保護連鎖を単純化し、携帯型メディアデバイス１００の堅固な追跡を確実に行うことを助けるために、携帯型メディアデバイス１００は、図１６Ｂで例示された航空機５００Ｂ’への受け渡しの準備において、１つ以上のデバイスコンテナ９５０内に配設されることが好ましい。デバイスコンテナ９５０は任意の適切な方式で提供できる。好ましくは、デバイスコンテナ９５０は、半分の大きさの厨房用カートおよび／またはフルサイズの厨房用カートといった（図示されていない）標準的な航空機厨房用カートで用いるための適切な大きさを持った悪戯防止コンテナを備える。言い換えると、デバイスコンテナ９５０は密封可能コンテナおよび／または、デバイスコンテナ９５０が開けられたことの証拠に対する少なくとも１つの安全シールを含むコンテナとして提供できる。携帯型メディアデバイス１００が密閉されたデバイスコンテナ９５０内に配設される場合、携帯型メディアデバイス１００のデバイス識別システム８１０がデバイス管理インターフェイス８３０と通信を行うように、デバイスコンテナ９５０が構成されることが好ましい。
【０１４２】
携帯型メディアデバイス１００が受け入れられて密閉されると、デバイスコンテナ９５０は、内部に封止された内容物をすぐに識別するための表示を含むことができる。例えば、デバイスコンテナ９５０の内容物を識別するために梱包リスト９５２が提供できる。要望に応じて、別個の梱包リスト９５２を各デバイスコンテナ９５０に提供できるか、および／または２つ以上のデバイスコンテナ９５０が共通の梱包リスト９５２を共有できる。梱包リスト９５２は、関連するデバイスコンテナ９５０内に保存された携帯型メディアデバイス１００の数、各携帯型メディアデバイス１００のデバイスシリアル番号、および／または各携帯型メディアデバイス１００の品質保証情報といったコンテンツ情報を含めることができる。代表的な品質保証情報は、関連するデバイスコンテナ９５０の検査および封止に関連する日付、場所、および検査名といった情報を含めることができる。要望に応じて、パッキングリスト９５２も同様に、携帯型メディアデバイス１００に関するコメントといったコメントに対する少なくとも１つのセクションを含めることができる。例えば、コメントセクションは、問題のある任意の携帯型メディアデバイスを識別し、その問題を記述するために用いることができる。好ましくは、各携帯型メディアデバイス１００の過去の記録が必要に応じて更新できるように、梱包リスト９５２の情報は（図１６Ａで示された）デバイス管理データベースシステム８５０に供給できる。
【０１４３】
好ましい一実施形態において、デバイスコンテナ９５０の各々はコンテナ識別システム９５４を含めることができる。コンテナ識別システム９５４は、（図１２で示された）デバイス識別システム８１０を参照しつつ上記で詳細に述べた方式で提供でき、（図１２で示された）デバイス管理インターフェイス８３０と、したがって、デバイス管理データベースシステム８５０と上記で論じた方式で通信できる。コンテナ識別システム９５４は、梱包リスト９５２を参照しつつ上記で論じたコンテンツ情報といったコンテンツ情報を供給できる。好ましくは、コンテナ識別システム９５４によって供給されるコンテンツ情報は、関連するデバイスコンテナ９５０内に保存された携帯型メディアデバイス１００の数、各携帯型メディアデバイス１００のデバイスシリアル番号、安全シールのシリアル番号、および／または、デバイスコンテナ９５０の搬入される航空機５００’に関する情報を含む。
【０１４４】
上記で論じたように、各携帯型メディアデバイス１００の過去の記録を更新できるデバイス管理データベースシステム８５０にコンテンツ情報が供給できるように、コンテナ識別システム９５４はデバイス管理インターフェイス８３０と通信できる。コンテナ識別システム９５４は、デバイスコンテナ９５０に対して、すなわち携帯型メディアデバイス１００に対して一連の保護を与えるために、デバイス管理インターフェイス８３０により走査され得る。例えば、デバイスコンテナ９５０が検査されてシールされたとき、デバイスコンテナ９５０が（図１６Ａで示されている）地上サポートステーション９２０Ａ−Ｎを離れたとき、デバイスコンテナ９５０が航空機５００Ｂ’に供給され、乗せられたとき、デバイス管理インターフェイス８３０は、出荷のデバイスコンテナ９５０のコンテナ識別システム９５４を走査できる。同様に、デバイスコンテナ９５０が航空機５００Ｂ’から取り出されたとき、デバイスコンテナ９５０が地上サポートステーション９２０Ａ−Ｎに到着したとき、デバイスコンテナ９５０が開かれて検査されるとき、入荷の入デバイスコンテナ９５０のコンテナ識別システム９５４はコンテナ識別システム９５４によって走査できる。これによって、デバイス管理システム８００は、個々の携帯型メディアデバイス１００の移送というよりも、シールされたデバイスコンテナの移送を監視できる。
【０１４５】
デバイスコンテナ９５０が開かれた後、携帯型メディアデバイス１００は必要に応じて何らかの損傷に対する検査を行い、修理を行うことができる。携帯型メディアデバイス１００はその後、（図１３Ａで示されている）デバイスインターフェイスドッキングステーション８３２と結合できる。携帯型メディアデバイス１００の（図４Ｂで示されている）バッテリシステム１９０が再充電されている間に、デバイス識別データ８２０はデバイス識別システム８１０からダウンロードされ、デバイス管理データベースシステム８５０に供給できる。これによって、デバイス管理データベースシステム８５０は携帯型メディアデバイスの過去の記録を更新でき、上記において詳細に述べた方式で将来の利用のために携帯型メディアデバイスを構成するための構成命令を与えることができる。デバイス管理データベースシステム８５０から受信した構成命令に応じて、デバイス管理インターフェイス８３０は、上記で論じたように、デバイス識別システム８１０で保存されたデバイス識別データ８２０を更新し、および／またはメモリシステム１４４で保存された視聴コンテンツ２００を更新して、各携帯型メディアデバイス１００を構成することができる。
【０１４６】
携帯型メディアデバイス１００の密閉されたデバイスコンテナ９５０は、任意の従来方式で航空機５００Ｂに搬入できる。例えば、図１６Ｂで例示されているように、密閉された第１のデバイスコンテナ９５０’は、図１６Ａを参照しつつ上記で詳細に述べた方式で提供される携帯型メディアデバイス１００の第１のセット１００’を含むものとして例示される。密閉された第１のデバイスコンテナ９５０’は、食品９７２、飲料９７４、および／またはスナック９７６を保存するための食品保存コンテナ９７０といった他のコンテナを有する第１のフライト輸送用コンテナ９６０’といった１つ以上の大型のフライト輸送用コンテナ９６０に含めることができる。同様に、携帯型メディアデバイス１００の第２のセット１００’’は上記で論じたように提供でき、航空機５００Ｂ’から取り出すための第２の密閉されたデバイスコンテナ９５０で提供できる。上記において述べた方式において、第２の密閉されたデバイスコンテナ９５０’’は、ごみ保存コンテナ９８０といった他のコンテナを有する１つ以上の大型のフライト輸送用コンテナ９６０、例えば第２のフライト輸送用コンテナ９６０’’に含めることができる。これによって、航空機５００Ｂ’は、前回の移動中に使用した品目、例えば携帯型メディアデバイス１００の第２のセット１００’’を含む第２のフライト輸送用コンテナ９６０’’を検索することにより、そして、航空機５００Ｂ’での次の移動中に使用するための品目、例えば携帯型メディアデバイス１００の第１のセット１００’といった品目を含む第１のフライト輸送用コンテナ９６０’を供給することによって、フライトに備えることができる。好ましくは、携帯型メディアデバイス１００の新しいセットが航空機５００Ｂ’の各フライトで提供される。
【０１４７】
上記で論じた方式において、携帯型メディアデバイス１００は、（図８Ａ−Ｂで示されている）乗物５００に乗って移動する乗客が開始する商取引を含む商取引が容易になるように構成することができる。商取引は、典型的には、クレジットカード番号といった支払い情報、および／または個人識別番号（ＰＩＮ）または暗証番号といった認定情報を必要とするため、携帯型メディアデバイス１００は、そのような（図示されていない）取引情報を入力するための（図３Ａ−Ｂで示されている）入力システム１７０を含む。入力システム１７０は、図３Ａ−Ｂを参照しつつ上記で論じたように提供でき、典型的には、キーボードおよび／マウスを備える。好ましくは、携帯型メディアデバイス１００も同様に、図３Ｂを参照しつつ上記で詳細に述べた方式で支払い情報を提供するためのクレジットカードリーダシステムを含む。
【０１４８】
例示された商取引は、携帯型メディアデバイス１００自体へのアクセスを確認するための取引を含めることができる。例えば、取引情報は携帯型メディアデバイス１００を賃借（および／または作動）するために必要な場合がある。携帯型メディアデバイス１００も同様に、（図３Ｂで示されている）メモリシステム１４４に保存されている（図３Ａ−Ｂで示されている）視聴コンテンツ２００にアクセスするといった、携帯型メディアデバイス１００の選択された機能へのアクセスを行うために、取引情報（または追加取引情報）を必要とすることができる。割増し視聴コンテンツ２００は追加取引情報を必要とすることもできる。上記において詳細に論じたように、携帯型メディアデバイスの１００はメモリシステム１４４に取引情報を保存でき、および／または、（図３Ａ−Ｂで示されている）アップロードコンテンツ２６０として取引情報を送信できる。取引情報はメモリシステム１４４に保存されると、携帯型メディアデバイス１００からアップロードされ、（図１２および図１３Ａ−Ｂで示されている）デバイス管理システム８００を参照しつつ上記で詳細に論じた方式で処理するために、デバイス管理データベースシステム８５０に供給されることが好ましい。
【０１４９】
例えば、（図８Ｂで示されている）航空機５００Ｂといった（図８Ａ−Ｂで示されている）乗物５００に配設された場合、携帯型メディアデバイス１００は、乗物５００に設けられた（図８Ａ−Ｂで示されている）乗物情報システム５１０と通信を行うように構成できる。乗物情報システム５１０は携帯型メディアデバイス１００から取引情報を受信すると、乗物情報システム５１０の（図８Ｂで示されている）コンピュータシステム５５０を介するといった任意の従来方式で取引情報を処理できる。例えば、乗物情報システム５１０は、（図８Ｂで示されている）衛星通信システム５６０’といった（図８Ｂで示されている）通信システム５６０を介して、取引情報を（図示されていない）地上支払いシステムに直ちにダウンロードすることでリアルタイムに取引情報を処理できる。乗物情報システム５１０も同様に、乗物５００の目的地への到着時といった後の時間に地上支払いシステムに対してダウンロードするために取引情報を保存することで、取引情報と時間遅れ方式で処理できる。安全を確保する助けとするために、取引情報は暗号化フォーマットで保存および／または送信されることが好ましい。
【０１５０】
商取引は、（図８Ｂで示されている）インターネット５６５を介して行う商取引を含むあらゆる従来タイプの商取引を含めることができる。好ましい一実施形態において、商取引には、海外旅行での免税商品といった（図示されていない）商品にかかわる商取引、および／または、乗物５００を介して利用可能なサービスを含めることができる。商品および／またはサービスに関する情報は、携帯型メディアデバイス１００を介して視覚的に、および／または音響的に表示でき、商品および／またはサービスを説明するテキスト情報および／または図形情報を含めることができる。携帯型メディアデバイス１００も同様に、１つ以上の当該インターネットリンクを有するか、および／または、利用可能な大きさおよび／または色といった種々の商品選択肢、および／またはサービス選択肢を示すことができる。所望の商品および／またはサービスは、取引情報を入力することで携帯型メディアデバイス１００を介して購入するために選択できる。商品は、乗物５００で保存される場合、取引情報の受信時に利用可能にでき、その他の場合、商品は目的地に到着した時点で提供できるか、および／または、選択された場所に搬送できる。
【０１５１】
携帯型メディアデバイス１００も同様に、選択された製品および／またはサービスに対する広告情報を表示するように構成できる。均一な広告情報は各携帯型メディアデバイス１００によって表示でき、および／または、広告情報はあらゆる適切な基準に基づく携帯型メディアデバイス１００により選択的に表示され得る。広告情報は、例えば、携帯型メディアデバイス１００の乗客による利用状況に基づく方向付けられた広告情報、を含めることが好ましい。広告情報は携帯型メディアデバイス１００を介して視覚的に、および／または音響的に表示でき、製品および／またはサービスを説明するテキスト情報および／または図形情報を含めることができる。要望に応じて、携帯型メディアデバイスも同様に、追加広告情報を視聴するために、１つ以上の当該インターネットリンクを有する。携帯型メディアデバイス１００は、上記で論じた方式で、広告される製品および／またはサービスを購入するための取引情報を提供できる。
【０１５２】
乗物５００の乗務員に対しても同様に、乗客の商取引を手伝うために、１つ以上の携帯型メディアデバイス１００（または乗務員用メディアデバイス）を提供できる。各乗務員用メディアデバイスは（図３Ａ−Ｂで示されている）携帯型メディアデバイス１００を参照しつつ上記で述べた方式で提供でき、好ましくは、上記で論じたように、取引情報を受信するように構成される。好ましくは、乗務員用メディアデバイスも同様に、図３Ｂを参照しつつ上記で詳細に述べた方式で支払い情報を提供するためのクレジットカードリーダシステムを含む。乗務員用メディアデバイスも同様に、バーコード走査装置システム、静止画および／または動画カメラシステム、音声記録機能、および音声・テキスト変換機能といった追加機能を含めることができる。
【０１５３】
乗務員用メディアデバイスは、乗客の利用に対して携帯型メディアデバイス１００でサポートされる乗客による携帯型メディアデバイス１００の賃借および／または商品（および／またはサービス）購入といった上述の商取引を含む任意の従来タイプの商取引をサポートできる。要望に応じて、追加の商取引も同様にサポートされる場合がある。例えば、乗務員用メディアデバイスは、移動中の輸送のために食品および／または飲料に対する注文を入力するために用いることができる。
【０１５４】
購入された商品の配布を容易にするために、乗務員用メディアデバイスは、乗物５００で利用可能な商品を保存するための（図示されていない）１つ以上の商品貯蔵箱と関連付けることができる。商品貯蔵箱は、設置式商品貯蔵箱および／または携帯式商品貯蔵箱を含む適当な方式で提供できる。例えば、（図８Ａ−Ｂで示されている）客室５７０の（図示されていない）１つ以上の選択された客室コンパートメントを商品保存のために割り当てることができる。乗務員用メディアデバイスも同様に、商品の貯蔵のために１つ以上の引き出しを含むことができるか、および／または、商品の貯蔵のために１つ以上の引き出しを有する半分の大きさの厨房用カートおよび／またはフルサイズの厨房用カートといった（図示されていない）航空機厨房用カートと関連付けることができる。
【０１５５】
好ましい一実施形態において、乗員用メディアデバイスは、乗物５００での購入で利用可能な商品に対する在庫管理システムを提供できる。乗務員用メディアデバイスは、乗物情報システム５１０といった（図示されていない）１つ以上のコンピュータシステムと連動する在庫管理システムを提供することが好ましい。要望に応じて、コンピュータシステムは乗物５００上に、および／または乗物５００の外部、またはそこから離れて配設できる。
【０１５６】
携帯型メディアデバイス１００に関して上記において詳細に論じたように、乗務員用メディアデバイスはメモリシステム１４４に取引情報を保存できるか、および／または、（図３Ａ−Ｂで示されている）アップロードコンテンツ２６０として取引情報を送信できる。取引情報は、例えば、メモリシステム１４４に保存されると、乗務員用メディアデバイスからアップロードされ、（図１２および図１３Ａ−Ｂで示されている）デバイス管理システム８００を参照しつつ上記において詳細に論じた方式で処理するために、デバイス管理データベースシステム８５０に供給されることが好ましい。乗務員用メディアデバイスも同様に、携帯型メディアデバイス１００を参照しつつ上記で論じたように乗物情報システム５１０と通信するように構成できる。乗物情報システム５１０は、携帯型メディアデバイス１００から取引情報を受信すると、上記において詳細に示した方式で、リアルタイムおよび／または時間遅れ方式を含む任意の従来方式で取引情報を処理できる。安全を確保する助けとするために、取引情報は暗号化フォーマットで保存および／または送信されることが好ましい。
【０１５７】
（図８Ｂで示されている）通信システム５６０を参照しつつ上記で論じた方式において、航空機５００Ｂの乗物情報システム５１０と（図８Ｂで示されている）地上コンテンツソース３００Ｂとは任意の無線方式で通信できる。例えば、航空機５００Ｂが地上にある間に地上ステーションにおいて、航空機５００Ｂに設置される（図８Ｂで示されている）サーバシステム５２０といったＸＭＬＲＰＣサーバシステムと、航空機・地上情報サービス（ＡＧＩＳ）サーバとの間の双方向データ通信を行うための航空機・地上情報サービス−携帯電話モデム（ＡＧＩＳ−ＣＭ）システムがある。航空機５００Ｂに搭載されるサーバは、ＲＳ−２３２接続を介して汎用パケット無線サービス（ＧＳＭ／ＧＰＲＳ）携帯電話トランシーバと結合される通信ポートを有する客室メモリ拡張ユニット（ＣＭＥＵ２（ＡＧＩＳ−空中／ＡＧＩＳリンク））ハードドライブアレイを含む。航空機５００Ｂが着陸した後に、航空機５００Ｂに搭載されたサーバは、地上サーバと連絡するために電話番号をダイヤルするように構成される。航空機５００Ｂに搭載されているサーバと地上サーバとはその後、ＸＭＬＲＰＣプロトコルに準拠するインターネット接続を用いて通信チャネルを形成するようネゴシエートできる。ダイヤル事象もネゴシエート事象も航空機５００Ｂのドアを開くことで開始されることはない。
【０１５８】
これらのサーバは、航空機５００Ｂが止まっているか移動しているかにもかかわらず、航空機が地上にある際にデータを交換するよう構成される。航空機５００Ｂに搭載されたサーバから転送されたデータは、航空機５００Ｂに設けられている機内娯楽（ＩＦＥ）システムに関する作動情報を含む。作動情報は、例えば、乗客の利用情報や、何らかのシステム故障に関する情報を含むことができる。地上サーバは、映画あるいはテレビ番組といった番組コンテンツを、次のフライトでの表示のために転送することができる。通信チャネルを形成する前に、両サーバは保留データ転送を保存できるが、この転送は通信チャネルが確立されると即座に交換される。航空機５００Ｂに搭載されたサーバが保留データ転送を保存して送信できることから、保留データ転送を生成する搭載アプリケーションは、データ転送機構を提供する際には個々に要求されない。
【０１５９】
航空機５００Ｂのフライト中に航空機５００Ｂ上の携帯電話と公共電話通信網との間の双方向通信を行うための通信システムがある。この通信システムは航空機５００Ｂに設けられ、航空機５００Ｂ上の乗客が用いる標準的な携帯電話とともに用いるように構成される。この通信システムは、携帯電話と無線通信を行うように、携帯電話と携帯電話通信信号を交換するための内部アンテナを有している。内部アンテナシステムは、各乗客シートに配設されたアンテナといった航空機５００Ｂの客室コンパートメント中に分配された複数のアンテナを備えることができ、中央トランシーバシステムと接続される。
【０１６０】
中央トランシーバシステムは内部アンテナシステムからの出力携帯電話通信信号を受信し、出力携帯電話通信信号を、衛星通信と互換性のある出力衛星通信信号に変換するように構成される。中央トランシーバシステムは外部アンテナシステムと結合され、外部アンテナシステムを介して出力衛星通信信号を衛星システムに送信するように構成される。衛星システムは次に、公共の電話通信網と通信する地上受信局に出力衛星信号を中継する。地上受信局は出力衛星通信信号を公共の電話通信網と互換性のある出力電話信号に変換することができ、出力電話信号を公共の電話通信網に供給する。中央トランシーバシステムも同様に、地上受信局からの入力衛星通信信号を受信し、入力衛星通信信号を逆のプロセスを介して携帯電話通信信号に変換できる。これによって、乗客はフライト中に携帯電話をかけることができる。
【０１６１】
ここで開示された種々の実施形態は種々の変更および他の形態の対象とすることができ、ここで示した特定の例は図面における例として示されたものであり、ここで詳細に説明されている。しかしながら、ここで開示された種々の実施形態は、開示された特定の形態または方法に限定されるものではなく、それとは逆に、本発明は、請求項で示した考え方及び適用範囲内に入る全ての変更例、均等例、および代替例を含むものとして理解されるべきである。
【産業上の利用可能性】
【０１６２】
本発明は、移動中に視聴コンテンツを表示するための携帯型メディアデバイスおよび方法に利用できる。
【図面の簡単な説明】
【０１６３】
【図１】視聴コンテンツを表示するための携帯型メディアデバイスの一実施形態を示す代表的な最上位ブロック図である。
【図２Ａ】図１の携帯型メディアデバイスの一実施形態を示す代表的な最上位ブロック図であり、ここで、携帯型メディアデバイスはコンテンツソースから選択された視聴コンテンツを表示する。
【図２Ｂ】図２Ｂの携帯型メディアデバイスの他の一実施形態を示す代表的な最上位ブロック図であり、ここで、選択された視聴コンテンツはコンテンツソースにおいて選択可能である。
【図３Ａ】図１の携帯型メディアデバイスの他の一実施形態を示す代表的なブロック図であり、ここで、携帯型メディアデバイスは携帯型メディアデバイスとコンテンツソースとの間の通信を容易にするための通信インターフェイスと、視聴コンテンツを選択し、選択された視聴コンテンツの表示を制御するための入力システムとを含む。
【図３Ｂ】図３Ａの携帯型メディアデバイスの他の一実施形態を示す代表的なブロック図であり、ここで、携帯型メディアデバイスは、同様に、選択された視聴コンテンツを保存するためのメモリシステム、および／または携帯型メディアデバイスの機能を補うための少なくとも１つの周辺システムを含む。
【図４Ａ】図３Ａ−Ｂの携帯型メディアデバイスの一実施形態の正面図を示す詳細図であり、ここで、携帯型娯楽デバイスは開位置にある。
【図４Ｂ】図４Ａの携帯型メディアデバイスの背面図を示す詳細図である。
【図４Ｃ】図４Ａ−Ｂの携帯型メディアデバイスの他の一実施形態を示す詳細図であり、ここで、携帯型娯楽デバイスは視聴サポートを含む。
【図４Ｄ】図４Ａ−Ｂの携帯型メディアデバイスのさらに他の一実施形態を示す詳細図であり、ここで、携帯型娯楽デバイスは防護カバーを含む。
【図５Ａ】図３Ａ−Ｂの携帯型メディアデバイスの他の一実施形態の正面図を示す詳細図である。
【図５Ｂ】図５Ａの携帯型メディアデバイスの他の一実施形態を示す詳細図であり、ここで、携帯型娯楽デバイスは視聴サポートを含む。
【図５Ｃ】図５Ｂの携帯型メディアデバイスの背面図を示す詳細図である。
【図６Ａ】図１の携帯型メディアデバイスのさらに他の一実施形態を示す代表的な最上位ブロック図であり、ここで、携帯型メディアデバイスは複数のコンテンツソースから選択された視聴コンテンツを表示できる。
【図６Ｂ】図１の携帯型メディアデバイスのさらに他の一実施形態を示す代表的な最上位ブロック図であり、ここで、複数の携帯型メディアデバイスは選択されたコンテンツソースと通信するように構成される。
【図７】図１の携帯型メディアデバイスのさらに他の一実施形態を示す代表的なブロック図であり、ここで、複数の携帯型メディアデバイスはコンテンツ配信システムを通して複数のコンテンツソースと通信するように構成される。
【図８Ａ】図７の複数の携帯型メディアデバイスの他の一実施形態を示す詳細図であり、ここで、複数の携帯型メディアデバイスと複数のコンテンツソースとは自動車と関連付けられた乗物情報システムを構成する。
【図８Ｂ】図８Ｂの乗物情報システムの他の一実施形態を示す詳細図であり、ここで、乗物情報システムは航空機と関連付けられる。
【図９Ａ】図８Ａ−Ｂの乗物情報システムの他の一実施形態を示す詳細図であり、ここで、乗物情報システムは乗客シートに隣接するアクセスポイントを提供する。
【図９Ｂ】図８Ａ−Ｂの乗物情報システムのさらに他の一実施形態を示す詳細図であり、ここで、アクセスポイントは乗物の客室内で分配されている。
【図１０Ａ】図１の携帯型メディアデバイスを乗客シートのヘッドレストに取り付けるための取付システムの他の一実施形態を示す詳細図である。
【図１０Ｂ】図１の携帯型メディアデバイスを乗客シートのヘッドレストに取り付けるための取付システムの他の一実施形態を示す詳細図である。
【図１０Ｃ】図１の携帯型メディアデバイスを乗客シートのヘッドレストに取り付けるための取付システムの他の一実施形態を示す詳細図である。
【図１０Ｄ】図１の携帯型メディアデバイスを乗客シートのヘッドレストに取り付けるための取付システムの他の一実施形態を示す詳細図である。
【図１０Ｅ】図１の携帯型メディアデバイスを乗客シートのヘッドレストに取り付けるための取付システムの他の一実施形態を示す詳細図である。
【図１０Ｆ】図１の携帯型メディアデバイスを乗客シートのヘッドレストに取り付けるための取付システムの他の一実施形態を示す詳細図である。
【図１０Ｇ】図１の携帯型メディアデバイスを乗客シートのヘッドレストに取り付けるための取付システムの他の一実施形態を示す詳細図である。
【図１０Ｈ】図１の携帯型メディアデバイスを乗客シートのヘッドレストに取り付けるための取付システムの他の一実施形態を示す詳細図である。
【図１０Ｉ】図１の携帯型メディアデバイスを乗客シートのヘッドレストに取り付けるための取付システムの他の一実施形態を示す詳細図である。
【図１０Ｊ】図１の携帯型メディアデバイスを乗客シートのヘッドレストに取り付けるための取付システムの他の一実施形態を示す詳細図である。
【図１１Ａ】図１の携帯型メディアデバイスを乗客シートのシートバックに取り付けるための取付システムの他の一実施形態を示す詳細図である。
【図１１Ｂ】図１の携帯型メディアデバイスを乗客シートのシートバックに取り付けるための取付システムの他の一実施形態を示す詳細図である。
【図１１Ｃ】図１の携帯型メディアデバイスを乗客シートのシートバックに取り付けるための取付システムの他の一実施形態を示す詳細図である。
【図１１Ｄ】図１の携帯型メディアデバイスを乗客シートのシートバックに取り付けるための取付システムの他の一実施形態を示す詳細図である。
【図１１Ｅ】図１の携帯型メディアデバイスを乗客シートのシートバックに取り付けるための取付システムの他の一実施形態を示す詳細図である。
【図１１Ｆ】図１の携帯型メディアデバイスを乗客シートのシートバックに取り付けるための取付システムの他の一実施形態を示す詳細図である。
【図１２】図１の携帯型メディアデバイスのためのデバイス管理システムの一実施形態を示す代表的なブロック図であり、ここで、携帯型メディアデバイスはデバイス識別データを供給するためのデバイス識別システムを含む。
【図１３Ａ】図１２のデバイス管理システムの他の一実施形態を示す代表的なブロック図であり、ここで、デバイス管理システムは携帯型メディアデバイスに対する過去の記録を維持でき、将来の利用のために携帯型メディアデバイスを構成するための構成命令を供給できる。
【図１３Ｂ】図１３Ａのデバイス管理システムが携帯型メディアデバイスに対する過去の記録を維持でき、将来の利用のために携帯型メディアデバイスを構成するための構成命令を供給できる方法の一実施形態を示す代表的なフロー図である。
【図１４】図１３Ａ−Ｂのデバイス管理システムの他の一実施形態を示す代表的なブロック図であり、ここで、デバイス管理システムは複数の携帯型メディアデバイスを同時に処理し、各携帯型メディアデバイスに対する過去の記録を維持し、将来の利用のために各携帯型メディアデバイスを構成するための命令を供給する。
【図１５Ａ】図１４のデバイス管理システムのためのドッキングステーションの一実施形態を示す詳細図であり、ここで、ドッキングステーションは複数の携帯型メディアデバイスとインターフェイスするように構成される。
【図１５Ｂ】図１４のデバイス管理システムのためのバッテリ充電システムの一実施形態を示す詳細図であり、ここで、バッテリ充電システムは複数のバッテリシステムを同時に充電するように構成される。
【図１６Ａ】図１４のデバイス管理システムのさらに他の一実施形態を示す詳細図であり、ここで、デバイス管理システムは空港ターミナルに設置される。
【図１６Ｂ】図１６Ａのデバイス管理システムの他の一実施形態を示す詳細図であり、ここで、携帯型メディアデバイスは空港ターミナルで航空機への輸送を行うための密閉コンテナ内に梱包できる。  図は寸法を示すために描かれたものではなく、同様の構成または機能の要素は、図を通じた例示目的のために同じような参照番号によって概略が示されている点に注意するべきである。また、図は本発明の好ましい実施形態の説明を容易にすることだけを意図したものでない点に注意するべきである。図は本発明のあらゆる態様を説明するものではなく、本発明の適用範囲を制限するものでもない。
【図１】
2008508749.tif 000003
【図２Ａ】
2008508749.tif 000004
【図２Ｂ】
2008508749.tif 000005
【図３Ａ】
2008508749.tif 000006
【図３Ｂ】
2008508749.tif 000007
【図４Ａ】
2008508749.tif 000008
【図４Ｂ】
2008508749.tif 000009
【図４Ｃ】
2008508749.tif 000010
【図４Ｄ】
2008508749.tif 000011
【図５Ａ】
2008508749.tif 000012
【図５Ｂ】
2008508749.tif 000013
【図５Ｃ】
2008508749.tif 000014
【図６Ａ】
2008508749.tif 000015
【図６Ｂ】
2008508749.tif 000016
【図７】
2008508749.tif 000017
【図８Ａ】
2008508749.tif 000018
【図８Ｂ】
2008508749.tif 000019
【図９Ａ】
2008508749.tif 000020
【図９Ｂ】
2008508749.tif 000021
【図１０Ａ】
2008508749.tif 000022
【図１０Ｂ】
2008508749.tif 000023
【図１０Ｃ】
2008508749.tif 000024
【図１０Ｄ】
2008508749.tif 000025
【図１０Ｅ】
2008508749.tif 000026
【図１０Ｆ】
2008508749.tif 000027
【図１０Ｇ】
2008508749.tif 000028
【図１０Ｈ】
2008508749.tif 000029
【図１０Ｉ】
2008508749.tif 000030
【図１０Ｊ】
2008508749.tif 000031
【図１１Ａ】
2008508749.tif 000032
【図１１Ｂ】
2008508749.tif 000033
【図１１Ｃ】
2008508749.tif 000034
【図１１Ｄ】
2008508749.tif 000035
【図１１Ｅ】
2008508749.tif 000036
【図１１Ｆ】
2008508749.tif 000037
【図１２】
2008508749.tif 000038
【図１３Ａ】
2008508749.tif 000039
【図１３Ｂ】
2008508749.tif 000040
【図１４】
2008508749.tif 000041
【図１５Ａ】
2008508749.tif 000042
【図１５Ｂ】
2008508749.tif 000043
【図１６Ａ】
2008508749.tif 000044
【図１６Ｂ】
2008508749.tif 000045
【国際調査報告】
2008508749.tif 000046
2008508749.tif 000047
2008508749.tif 000048
2008508749.tif 000049
2008508749.tif 000050